(57)【特許請求の範囲】
【請求項１】
少なくとも上側縁部、下側縁部、左側縁部及び右側縁部を躯体に止め付けて用いられる四角形状で格子状をなす壁下地材であって、
この壁下地材が、板面相互をほぼ同面状にして傾斜状に並設されている複数の木質小幅板からなる裏側小幅板群と、
この裏側小幅板群を構成する前記木質小幅板と交差する向きに傾斜し、且つ、板面相互をほぼ同面状にして並設されている複数の木質小幅板からなる表側小幅板群とを備えており、
しかも、前記裏側小幅板群を構成する前記木質小幅板が夫々所定の間隔を離して平行に備えられており、且つ、前記表側小幅板群を構成する前記木質小幅板が夫々所定の間隔を離して平行に備えられていると共に、
前記裏側小幅板群を構成する前記夫々の木質小幅板と、該木質小幅板の板面に板面を向き合わせて重ね合わせの状態に備えられている前記表側小幅板群を構成する前記夫々の木質小幅板とが互いの交差部で接合一体とされており、
且つ、前記表側小幅板群を構成する前記木質小幅板の表面部に、直線状の凹筋又は直線状の切り筋が前記壁下地材の少なくとも各側縁に沿って設けてあり、
しかも、この壁下地材が、防腐剤や防蟻剤などの木材保存処理薬剤と着色剤と希釈水とからなる浸漬液又は当該木材保存処理薬剤と着色剤とを主成分とし水を希釈液とした浸漬液に浸漬され、且つ該浸漬液から取り出し乾燥され、前記凹筋又は前記切り筋を前記着色剤によって目立たされた該壁下地材の止め付け用基準線とするようにしてあることを特徴とする壁下地材。
【請求項２】
請求項１に記載の壁下地材の製造方法であって、
複数の木質小幅板材を、傾斜状に、しかも、所定の間隔を離して平行に、且つ板面相互をほぼ同面状に並設して第１の小幅板材群を構成すると共に、
この第１の小幅板材群を構成する前記木質小幅板材の板面に板面を向き合わせて該第１の小幅板材群を構成する前記木質小幅板材に重ね合わせの状態に備えられる第２の小幅板材群を構成する複数の木質小幅板材を、該第１の小幅板材群を構成する前記木質小幅板材と交差する向きに傾斜するように所定の間隔を離して平行に、且つ、板面相互をほぼ同面状にして並設し、且つ、前記第１の小幅板材群を構成する前記木質小幅板材に夫々の交差部で接合一体として一次壁下地中間材を構成する工程と、
この一次壁下地中間材を切断して該一次壁下地中間材を所定の大きさとする切断処理工程と、
この一次壁下地中間材の切断処理工程において、この一次壁下地中間材の移動又は該一次壁下地中間材の切断手段の移動に伴って、当該一次壁下地中間材における前記第１の小幅板材群の木質小幅板材及び第２の小幅板材群の木質小幅板材の一方の前記壁下地材の表側を構成する木質小幅板材の表面部に、少なくとも前記切断手段による切断縁に沿って又は少なくとも前記切断手段による切断予定線に沿って直線状の凹筋又は直線状の切り筋を形成する工程と、
この切断処理工程と前記凹筋又は切り筋の形成工程とを経て得られた二次壁下地中間材を、防腐剤や防蟻剤などの木材保存処理薬剤と着色剤と希釈水とからなる浸漬液又は当該木材保存処理薬剤と着色剤とを主成分とし水を希釈液とした浸漬液に浸漬すると共に該浸漬液から取り出し乾燥して、前記凹筋又は前記切り筋を前記着色剤によって目立たされた該壁下地材の止め付け用基準線とする着色及び薬剤の処理工程とを有していることを特徴とする壁下地材の製造方法。
【発明の詳細な説明】
【０００１】
【発明の属する技術分野】
この発明は容易に且つ正確に取付け用い得る壁下地材及びその製造方法の提供に関する。
【０００２】
【従来の技術】
木造建築物における壁下地は、多くの場合、施工現場において夫々の壁の仕上げに対応して構成されており、例えば、木ずり下地、ラス張り下地などの下地や、合板下地などの各種面材を用いた壁下地などがあった。
【０００３】
かかる壁下地において、前記木ずり下地やラス張り下地は、建築現場において用意された小幅板を柱や間柱に対して所定の間隔で止め付ける下地処理に多くの手間と時間とを要し、しかも、この小幅板が水平の向きに止め付けられるため、この小幅板間にある間隔内の空気の上昇による換気に難があり、更に、形成される壁の壁耐力に限界があった。
【０００４】
また、前記合板などの面材下地材を用いて構成される壁下地にあっては、その下地構成部における通気に難があり、また、この下地を合板で構成した場合、この合板における接着剤層が通湿性を阻害する不具合が認められた。
【０００５】
かかる各壁下地における不具合を解消し、壁下地を容易に構成できると共に、通気性に優れ、しかも、相当の壁体力を備えた壁を構成する壁仕上げ用下地パネル及び壁構造が特開平１２−１６０７３２において開示されている。
【０００６】
この特開平１２−１６０７３２で開示された壁仕上げ用下地パネルは、図３５において示されるように、接合一体化される表側下地板２０１と裏側下地板２０２とで構成してあり、しかも、この表側下地板２０１及び裏側下地板２０２を、夫々、帯状小幅板２１１、２１２を所定の間隔をおいて傾斜する方向に多数平行に配設することにより構成してあると共に、この表側下地板２０１を構成する帯状小幅板２１１と裏側下地板２０２を構成する帯状小幅板２１２とを互いに交差するように相反する方向に傾斜させ、その交差部２２０において前記表側下地板２０１と裏側下地板２０２とを接合して構成してあり、この壁仕上げ用下地パネル２００を建物の外壁面に沿って設けた柱や間柱などの構造躯体に取付けることによって壁仕上げ用下地構造を構成することが示されている。
【０００７】
【発明が解決しようとする課題】
かかる壁仕上げ用下地パネル２００を用いて壁仕上げ用下地構造を構成する場合、この壁仕上げ用下地パネル２００を構造躯体に対して正確且つ確実に止め付けるために、通例、柱や間柱などの各構造躯体における当該壁仕上げ用下地パネル２００の各取付け位置間の間隔を測り出すと共に、この測り出し寸法から割り出される取付け位置を該壁仕上げ用下地パネル２００面に墨糸を用いた墨打ちやインクを板面に吹き付ける構成のインクジェット装置を用いた線表示で表示し、この表示線に沿って当該壁仕上げ用下地パネル２００を構造躯体に止め付ける必要があった。
【０００８】
しかしながら、この壁仕上げ用下地パネル２００に墨糸を用いて墨出しをするには相当の墨出し技術を要し、特に、当該壁仕上げ用下地パネル２００は、その墨付け面が格子状をなしていることから、この壁仕上げ用下地パネル２００に対して正確に墨入れをするためには相当の熟練者により相当の時間をかけて行う必要があった。
【０００９】
また、この壁仕上げ用下地パネル２００にインクジェット装置を用いて線表示をすることは、当該装置の設置コストが割高であり、また、当該装置の操作やメンテナンスに当該装置特有の技術を要するなどの不具合があった。
【００１０】
また、このように壁仕上げ用下地パネル２００に表示される墨線やインクジェット装置による吹きつけインキの線は当該壁仕上げ用下地パネル２００の濡れに伴って滲みだしたり、他の部材との接触などに伴って消失するなどの不具合があった。
【００１１】
また、このように壁仕上げ用下地パネル２００に表示される墨線やインクジェット装置による吹きつけインキの線は当該壁仕上げ用下地パネル２００の面に表示されていることから、これを目視した際に、当該壁仕上げ用下地パネル２００面の色合いや地肌面の状態や、その目視の角度や光線の具合などによって見難い場合があった。
【００１２】
この発明は、通気性を備え、しかも、相当の壁体力を有する壁の構成に都合の良い壁下地を容易に構成できると共に、備えられている止め付け用基準線が目視し易く、しかも、当該止め付け用基準線が壁下地材の濡れ出しや他の部材との接触などによっても損なわれることのないようにした壁下地材及び当該止め付け用基準線を容易に、且つ正確に、当該壁下地材に低コストでもたらし得るようにした当該壁下地材の製造方法の提供を目的としている。
【００１３】
【課題を解決するための手段】
前記目的を達成するために請求項１に記載の発明は、少なくとも上側縁部、下側縁部、左側縁部及び右側縁部を躯体に止め付けて用いられる四角形状で格子状をなす壁下地材であって、
この壁下地材が、板面相互をほぼ同面状にして傾斜状に並設されている複数の木質小幅板からなる裏側小幅板群と、
この裏側小幅板群を構成する前記木質小幅板と交差する向きに傾斜し、且つ、板面相互をほぼ同面状にして並設されている複数の木質小幅板からなる表側小幅板群とを備えており、
しかも、前記裏側小幅板群を構成する前記木質小幅板が夫々所定の間隔を離して平行に備えられており、且つ、前記表側小幅板群を構成する前記木質小幅板が夫々所定の間隔を離して平行に備えられていると共に、
前記裏側小幅板群を構成する前記夫々の木質小幅板と、該木質小幅板の板面に板面を向き合わせて重ね合わせの状態に備えられている前記表側小幅板群を構成する前記夫々の木質小幅板とが互いの交差部で接合一体とされており、
且つ、前記表側小幅板群を構成する前記木質小幅板の表面部に、直線状の凹筋又は直線状の切り筋が前記壁下地材の少なくとも各側縁に沿って設けてあり、
しかも、この壁下地材が、防腐剤や防蟻剤などの木材保存処理薬剤と着色剤と希釈水とからなる浸漬液又は当該木材保存処理薬剤と着色剤とを主成分とし水を希釈液とした浸漬液に浸漬され、且つ該浸漬液から取り出し乾燥され、前記凹筋又は前記切り筋を前記着色剤によって目立たされた該壁下地材の止め付け用基準線とするようにしてあることを特徴とする壁下地材としてある。
【００１４】
このように構成される壁下地材にあっては、当該壁下地材における少なくとも上側縁部、下側縁部、左側縁部及び右側縁部を前記躯体に対して、前記の目立たされた止め付け用基準線上で打ち込まれる釘やねじ入れられるビスなどで容易且つ正確に止め付けられ、相当の壁体力を有する壁を構成する壁下地を構成することができる。
【００１５】
また、このように構成される壁下地材にあっては、これを用いて壁下地を構成した場合、前記表側小幅板群を構成する各木質小幅板間及び裏側小幅板群を構成する各木質小幅板間に傾斜した隙間が構成され、また、この壁下地の厚さ方向に、該壁下地材の表側小幅板群と裏側小幅板群とが構成する格子目状の孔が貫通状態に構成され、構成される壁下地に良好な通気性がもたらされるように機能する。
【００１６】
また、このように構成される壁下地材にあっては、この壁下地材の取扱において、これに備えられている止め付け用基準線が壁下地材の濡れ出しや他の部材との接触などによって損なわれることがなく、また、当該壁下地材を躯体に止め付け用いる際に該止め付け用基準線を容易且つ確実に目視できる。
【００１７】
また、このように構成される壁下地材にあっては、この壁下地材の取扱において、当該壁下地材が防腐剤や防蟻剤などの木材保存処理薬剤で処理済であることを容易且つ確実に認識することができる。
【００１８】
また、前記目的を達成するために請求項２に記載の発明は、請求項１に記載の壁下地材の製造方法であって、
複数の木質小幅板材を、傾斜状に、しかも、所定の間隔を離して平行に、且つ板面相互をほぼ同面状に並設して第１の小幅板材群を構成すると共に、
この第１の小幅板材群を構成する前記木質小幅板材の板面に板面を向き合わせて該第１の小幅板材群を構成する前記木質小幅板材に重ね合わせの状態に備えられる第２の小幅板材群を構成する複数の木質小幅板材を、該第１の小幅板材群を構成する前記木質小幅板材と交差する向きに傾斜するように所定の間隔を離して平行に、且つ、板面相互をほぼ同面状にして並設し、且つ、前記第１の小幅板材群を構成する前記木質小幅板材に夫々の交差部で接合一体として一次壁下地中間材を構成する工程と、
この一次壁下地中間材を切断して該一次壁下地中間材を所定の大きさとする切断処理工程と、
この一次壁下地中間材の切断処理工程において、この一次壁下地中間材の移動又は該一次壁下地中間材の切断手段の移動に伴って、当該一次壁下地中間材における前記第１の小幅板材群の木質小幅板材及び第２の小幅板材群の木質小幅板材の一方の前記壁下地材の表側を構成する木質小幅板材の表面部に、少なくとも前記切断手段による切断縁に沿って又は少なくとも前記切断手段による切断予定線に沿って直線状の凹筋又は直線状の切り筋を形成する工程と、
この切断処理工程と前記凹筋又は切り筋の形成工程とを経て得られた二次壁下地中間材を、防腐剤や防蟻剤などの木材保存処理薬剤と着色剤と希釈水とからなる浸漬液又は当該木材保存処理薬剤と着色剤とを主成分とし水を希釈液とした浸漬液に浸漬すると共に該浸漬液から取り出し乾燥して、前記凹筋又は前記切り筋を前記着色剤によって目立たされた該壁下地材の止め付け用基準線とする着色及び薬剤の処理工程とを有していることを特徴とする壁下地材の製造方法としてある。
【００１９】
このように構成される壁下地材の製造方法にあっては、前記壁下地材における特長を備えた壁下地材を容易且つ確実に提供でき、特に、前記止め付け用基準線を当該壁下地材に対して容易且つ確実に低コストで施すことができる。
【００２０】
【発明の実施の形態】
以下本発明に係る壁下地材及びその製造方法の典型的な各実施の形態について詳細に説明する。
【００２１】
図１〜図１１は、典型的な一実施の形態に係る壁下地材Ｋ及び当該壁下地材Ｋの典型的な使用態様を示したものであり、図１は、この壁下地材Ｋを建物Ｂの躯体１００に取り付けた状態を正面側から見て示している。図２〜図４は、この壁下地材Ｋを、図２では、斜め上方から見て、図３では、正面側から見て、図４では、その要部を拡大して正面側から見て示しており、図５の（１）は、当該壁下地材Ｋの裏側小幅板群３０Ａを構成している木質小幅板４０Ａを、図５の（２）は当該壁下地材Ｋの表側小幅板群３０Ｂを構成している木質小幅板４０Ｂの要部を夫々正面側から見て示している。
図６〜図８は、この典型的な実施の形態に係る壁下地材Ｋに設けられている止め付け用基準線５０の各態様を示したものであって、図６では、当該壁下地材Ｋに備えられている典型的な凹筋５１により構成される止め付け用基準線５０を、図７では、当該壁下地材Ｋに備えられている他の典型的な凹筋５１により構成される止め付け用基準線５０を、図８では、当該壁下地材Ｋに備えられている典型的な切り筋５２により構成されている止め付け用基準線５０を夫々当該壁下地材Ｋの要部の拡大断面の状態で示している。
図９〜図１１は、当該壁下地材Ｋを備え付け用いた典型的な建物Ｂの要部を夫々示すものであって、図９では、当該建物Ｂの要部を縦方向で断面して、図１０では、当該建物Ｂの要部を水平方向で断面して、更に、図１１では、当該壁下地材Ｋの建物Ｂに対する取付け部の要部を拡大して断面の状態で示している。
【００２２】
図１２〜図３４は、典型的な一実施の形態に係る壁下地材Ｋの製造工程のうちの主要な工程における各被処理材の状態を示したものであって、図１２の（１）は、当該壁下地材Ｋの製造に用いられる木質小幅板材２０Ａを、図１２の（２）は当該壁下地材Ｋの製造に用いられる木質小幅板材２０Ｂを、その要部を上方から見て示したものであり、図１３では、この木質小幅板材２０Ａを並設して第１の小幅板材群１０Ａを構成した状態を上方から見て、図１４では、当該第１の小幅板材群１０Ａの並設の一手法を、その要部を上方から見て示している。また、図１５では、図１３のように並設されている第１の小幅板材群１０Ａに対して斜めに交差するように木質小幅板材２０Ｂを重ね合わせ状態に並設し且つ該木質小幅板材２０Ｂと前記小幅板材群１０Ａを構成する各木質小幅板材２０Ａとを夫々の交差部２１において接合して一次壁下地中間材Ｋ’とした状態を上方から見て示すものであり、図１６では、図１４のように並設された第１の小幅板材群１０Ａに対して図１５に示されるように第２の小幅板材群１０Ｂを構成する各木質小幅材２０Ｂを互いに板面を向き合わせて接合一体として前記一次壁下地中間材Ｋ’を構成する一手法を、その要部を上方から見て示している。
図１７は、互いに板面を向き合わせて重ね合わせの状態に接着された第１の小幅板材群１０Ａ及び第２の小幅板材群１０Ｂよりなる一次壁下地中間材Ｋ’をプレス装置９３を用いて押圧する状態の要部を側面から見て示しており、図１８及び図１９は、接合一体とされた第１の小幅板材群１０Ａ及び第２の小幅板材群１０Ｂよりなる一次壁下地中間材Ｋ’に対して、当該一次壁下地中間材Ｋ’を所定大きさとする切断処理と共に当該一次壁下地中間材Ｋ’に対して凹筋５１又は切り筋５２を形成する状態を上方から見て示したものであって、図１８では、当該一次壁下地中間材Ｋ’における長手縁に沿った当該一次壁下地中間材Ｋ’に対する切断処理と当該長手縁に沿って凹筋５１又は切り筋５２と、この凹筋５１又は切り筋５２に平行で且つ一次壁下地中間材Ｋ’における幅側のほぼ中央部を通る凹筋５１又は切り筋５２とを形成する状態を、図１９では、当該一次壁下地中間材Ｋ’における短手縁に沿った当該一次壁下地中間材Ｋ’に対する切断処理と当該短手縁に沿った凹筋５１又は切り筋５２を形成する状態を示している。
図２０は、この一次壁下地中間材Ｋ’に対する切断処理及び典型的な凹筋５１の形成処理の一態様を模式的に一部断面の状態として側方から見て示しており、図２１は、前記図２０における凹筋５１の形成に用いられる典型的な筋形成手段７０としての回転円盤状筋付け具７１を示している。
図２２は、他の典型的な凹筋５１を形成している状態を他の典型的な筋形成手段７０としての回転円盤状筋付け具７２と共に示しており、図２３は、当該回転円盤状筋付け具７２を示している。
図２４は、他の典型的な凹筋５１を形成している状態を更に他の典型的な筋形成手段７０としての回転円盤状筋付け具７３と共に示しており、図２５は、当該回転円盤状筋付け具７３を示している。
図２６は、典型的な切り筋５２を形成している状態を典型的な筋形成手段７０としての回転円盤状筋付け具７４と共に示しており、図２７は、当該回転円盤状筋付け具７４を示している。
図２８は、他の典型的な切り筋５２を形成している状態を更に他の典型的な筋形成手段７０としての回転円盤状筋付け具７５と共に示しており、図２９は、当該回転円盤状筋付け具７５を示している。
図３０は、凹筋５１の典型的な一例としての四角形状断面の凹筋５１ａを、また、図３１は、当該凹筋５１の他の典型的な一例としてのＶ字状断面の凹筋５１ｂをそれぞれ要部の断面として示しており、図３２は、典型的な切り筋５２の一例を要部の断面として示している。
図３３は、前記一次壁下地中間材Ｋ’に対して切断処理と凹筋５１又は切り溝５２の形成処理をして得られた二次壁下地中間材Ｋ”を浸漬液９５に浸漬している状態を模式的に要部の断面状態として示している。
図３４は、浸漬液９５から取り出されて乾燥処理されて得られた壁下地材Ｋを正面側から見て示している。
【００２３】
まず、この典型的な一実施の形態に係る壁下地材Ｋについて具体的に説明する。
この壁下地材Ｋは、建物Ｂにおける壁の仕上げ用の下地を構成するために用いられるものであって、少なくとも各側縁部Ｋｂ、即ち、上側縁部Ｋｂ１、下側縁部Ｋｂ２、左側縁部Ｋｂ３及び右側縁部Ｋｂ３’を躯体１００に止め付けて用いられる四角形状で、格子状をなす壁下地材Ｋとしてある。
かかる壁下地材Ｋは、板面４０Ａａ相互をほぼ同面状にして傾斜状に並設されている複数の木質小幅板４０Ａからなる裏側小幅板群３０Ａと、
この裏側小幅板群３０Ａを構成する前記木質小幅板４０Ａと交差する向きに傾斜し、且つ、板面４０Ｂａ相互をほぼ同面状にして並設されている複数の木質小幅板４０Ｂからなる表側小幅板群３０Ｂとを備えており、
しかも、前記裏側小幅板群３０Ａを構成する前記木質小幅板４０Ａが夫々所定の間隔を離して平行に備えられており、且つ、前記表側小幅板群３０Ｂを構成する前記木質小幅板４０Ｂが夫々所定の間隔を離して平行に備えられ、
且つ、前記裏側小幅板群３０Ａを構成する前記夫々の木質小幅板４０Ａと、該木質小幅板４０Ａの板面４０Ａａに板面４０Ｂａを向き合わせて重ね合わせの状態に備えられている前記表側小幅板群３０Ｂを構成する前記夫々の木質小幅板４０Ｂとが互いの交差部４１で接合一体とされていると共に、
前記表側小幅板群３０Ｂを構成する前記木質小幅板４０Ｂの表面部４３に、直線状の凹筋５１又は直線状の切り筋５２が前記壁下地材Ｋの少なくとも各側縁Ｋａに沿って設けてあり、
しかも、この壁下地材Ｋが防腐剤や防蟻剤などの木材保存処理薬剤と着色剤と希釈水とからなる浸漬液又は当該木材保存処理薬剤と着色剤とを主成分とし水を希釈液とした浸漬液に浸漬され、且つ該浸漬液から取り出し乾燥され、前記凹筋５１又は前記切り筋５２を前記着色剤によって目立たされた該壁下地材Ｋの止め付け用基準線５０とするようにしてあって、この壁下地材Ｋが、前記躯体１００に対して、前記裏側小幅板群３０Ａを構成する木質小幅板４０Ａの側を添装状態にして、前記止め付け用基準線５０上から打ち込まれる釘１０５やねじ込まれるビスなどによって止め付け得る構成としてある。
【００２４】
なお、前記の「板面４０Ａａ相互をほぼ同面状にして並設」とは、前記複数の木質小幅板４０Ａが、夫々における木口と木端とにより囲まれた上側にある板面４０Ａａ相互、及び、下側にある板面４０Ａａ相互をほぼ同面状にして並設されることを意味している。
また、前記の「板面４０Ｂａ相互をほぼ同面状にして並設」とは、前記複数の木質小幅板４０Ｂが、夫々における木口と木端とにより囲まれた上側にある板面４０Ｂａ相互、及び、下側にある板面４０Ｂａ相互をほぼ同面状にして並設されることを意味している。
【００２５】
この実施の形態にかかる壁下地材Ｋは、建物Ｂを構成する柱１０１や間柱１０２や各種横架材１０３などの構成躯体１００に対して、少なくとも上側縁部Ｋｂ１、下側縁部Ｋｂ２、左側縁部Ｋｂ３及び右側縁部Ｋｂ３’を止め付けて、壁仕上げ用の壁下地を構成する手段として用い得る形態を備えたものとしてあり、典型的には、建物Ｂの躯体１００を構成する梁１０３ｂなどの横架材１０３に上側縁部Ｋｂ１を、土台１０３ａなどの横架材１０３に下側縁部Ｋｂ２を、柱１０１又は間柱１０２に左側縁部Ｋｂ３と右側縁部Ｋｂ３’を夫々釘やビスなどを用いて止め付け得る形状、大きさを備えた四角形状で、格子状に構成してある。
この図示例にあっては、四角形状、特に、各隅部Ｋｃを面取り状とした直角四辺形の形状に構成してあり、前記柱１０１や間柱１０２や各種横架材１０３などの構成する空間を都合良く塞ぐ上下方向に長い長方形の格子状体として構成してある。
【００２６】
かかる壁下地材Ｋは、複数の木質小幅板４０Ａによって構成されている裏側小幅板群３０Ａと、複数の木質小幅板４０Ｂによって構成されている表側小幅板群３０Ｂとを、当該木質小幅板４０Ａと木質小幅板４０Ｂとを一体に接合して構成してある。
【００２７】
この壁下地材Ｋを構成する裏側小幅板群３０Ａは、所定の間隔を離して平行に、しかも、板面４０Ａａがほぼ同面状となるように並設された複数の木質小幅板４０Ａによって構成してある。
即ち、当該裏側小幅板群３０Ａを、ほぼ同一の厚さからなる複数の木質小幅板４０Ａを順次に木端４０Ａｂを向き合わせるように所定の間隔を離して平行に並設して構成してあり、この並設された複数の木質小幅板４０Ａが、躯体１００に取り付けられる壁下地材Ｋにおける水平線に対して所定の角度、典型的には、当該水平線に対してほぼ４５度の角度で傾斜するように備えられた構成としてあり、しかも、この並設されている各木質小幅板４０Ａにおける夫々の木口４０Ａｃを通る仮想の直線ｔが前記壁下地材Ｋの外郭形状のなす四角形状を構成するようにしてある。
【００２８】
更に具体的には、この裏側小幅板群３０Ａを構成する各木質小幅板４０Ａは、柱１０１間、間柱１０２間、又は柱１０１と間柱１０２間にわたって斜めにかけ渡され得るように当該壁下地材Ｋを構成する木質小幅板４０Ａと、これらの木質小幅板４０Ａの下方及び上方にあって、これらの木質小幅板４０Ａよりも順次に短尺とされて当該柱１０１又は間柱１０２と横架材１０３との間にかけ渡され得るように当該壁下地材Ｋを構成する木質小幅板４０Ａとを有し、
前記壁下地材Ｋにおける各側縁Ｋａ、即ち、上側縁Ｋａ１、下側縁Ｋａ２、左側縁Ｋａ３、右側縁Ｋａ３’の夫々において、この裏側小幅板群３０Ａを構成する各木質小幅板４０Ａにおける各木口４０Ａｃを通る仮想の直線ｔが該壁下地材Ｋの外郭形状のなす四角形状、特に、この図示例にあっては長方形状を構成するようにしてある。
【００２９】
次いで前記壁下地材Ｋを構成する表側小幅板群３０Ｂは、前記裏側小幅板群３０Ａを構成する木質小幅板４０Ａに交差する向きに備えられているものであって、所定の間隔を離して平行に、しかも、板面４０Ｂａ相互がほぼ同面状となるように並設された複数の木質小幅板４０Ｂによって構成してある。
即ち、当該表側小幅板群３０Ｂを前記木質小幅板４０Ａに交差し、しかも、順次に木端４０Ｂｂを向き合わせるように所定の間隔を離して平行に並設されているほぼ同一厚さの複数の木質小幅板４０Ｂによって構成してあり、この並設された複数の木質小幅板４０Ｂが、躯体１００に取り付けられる該壁下地材Ｋにおける水平線に対して所定の角度、典型的には、当該水平線に対してほぼ４５度の角度で傾斜するように備えられた構成、即ち、前記裏側小幅板群３０Ａを構成する木質小幅板４０Ａに直交する構成としてあり、
この並設されている各木質小幅板４０Ｂにおける夫々の木口４０Ｂｃを通る仮想の直線ｔ’が前記壁下地材Ｋの外郭形状をなすように構成してある。
【００３０】
更に具体的には、この表側小幅板群３０Ｂを構成する各木質小幅板４０Ｂは、柱１０１間、間柱１０２間、又は柱１０１と間柱１０２間にわたって斜めにかけ渡され得るように当該壁下地材Ｋを構成する木質小幅板４０Ｂと、これらの木質小幅板４０Ｂの下方及び上方にあって、これらの木質小幅板４０Ｂよりも順次に短尺とされて当該柱１０１又は間柱１０２と横架材１０３との間にかけ渡され得るように当該壁下地材Ｋを構成する木質小幅板４０Ｂとを有し、前記壁下地材Ｋにおける各側縁Ｋａ、即ち、上側縁Ｋａ１、下側縁Ｋａ２、左側縁Ｋａ３及び右側縁Ｋａ３’の夫々において、この表側小幅板群３０Ｂを構成する各木質小幅板４０Ｂにおける各木口４０Ｂｃを通る前記仮想の直線ｔ’が前記壁下地材Ｋの外郭形状、特に、この図示例にあっては長方形状をなすように構成してある。
【００３１】
かかる裏側小幅板群３０Ａと表側小幅板群３０Ｂは、この裏側小幅板群３０Ａを構成する各木質小幅板４０Ａにおける板面４０Ａａに、該表側小幅板群３０Ｂを構成する各木質小幅板４０Ｂにおける板面４０Ｂａを向き合わせて、重ね合わせの状態とされていると共に、夫々の交差部４１において当該木質小幅板４０Ａ及び木質小幅板４０Ｂの板面４０Ａａ、４０Ｂａ相互が、例えば、水性ビニルウレタンなどの接着剤などによって一体に接合されて四角形状で格子状をなす壁下地材Ｋを構成している。
【００３２】
この図示例に係る壁下地材Ｋにあっては、該壁下地材Ｋにおける上側縁Ｋａ１、下側縁Ｋａ２、左側縁Ｋａ３及び右側縁Ｋａ３’の各側縁Ｋａにおいて互いに重なり合う各木質小幅板４０Ａ及び各木質小幅板４０Ｂが、夫々の木口４０Ａｃ、４０Ｂｃを同一面上に連続して備えた構成、即ち、互いに板面４０Ａａ、４０Ｂａを向き合わせて重ね合わせの状態で一体とされている該木質小幅板４０Ａ及び木質小幅板４０Ｂが互いの木口４０Ａｃ、４０Ｂｃを揃えた構成とし、
更に、該壁下地材Ｋにおける各隅部Ｋｃにあっては、例えば、台形状の木質小幅板４０Ａ又は木質小幅板４０Ｂを用意し、当該台形の上底とされる当該木質小幅板４０Ａ又は木質小幅板４０Ｂにおける短い側の木端４０Ａｂ、４０Ｂｂを当該壁下地材Ｋにおける面取り状の隅部Ｋｃ面になすと共に、この木質小幅板４０Ａにおける両端木口４０Ａｃに該木質小幅板４０Ａに交差して備えられる夫々の木質小幅板４０Ｂの木口４０Ｂｃを揃え、また、前記隅部Ｋｃを構成する台形状の木質小幅板４０Ｂにおける両端木口４０Ｂｃに該木質小幅板４０Ｂに交差して備えられる夫々の木質小幅板４０Ａの木口４０Ａｃを揃えて、当該木質小幅板４０Ａと木質小幅板４０Ｂとを重ね合わせ状態にして、夫々の交差部４１において接合一体としてあって、
前記壁下地材Ｋにおける上側縁部Ｋｂ１、下側縁部Ｋｂ２、左側縁部Ｋｂ３及び右側縁部Ｋｂ３’が、いずれも木質小幅板４０Ａ及び木質小幅板４０Ｂの重なり合った交差部４１の接合部とされており、隅部Ｋｃ及び各側縁部Ｋｂにおいて十分な強度を備えた壁下地材Ｋとされ、且つ当該壁下地材Ｋを釘１０５やビスなどを用いて柱１０１や、間柱１０２や横架材１０３などの躯体１００に対して都合よく止め付け得る構成とされている。
【００３３】
かかる裏側小幅板群３０Ａを構成する木質小幅板４０Ａと、表側小幅板群３０Ｂを構成する木質小幅板４０Ｂは、典型的には、建物Ｂにおける壁仕上げに用いられる下地を構成し得る特性を備えた各種の素材、例えば、板厚が９〜１２ｍｍで、板幅が４０〜１００ｍｍで、しかも、前記四角形状で格子状をなす壁下地材Ｋを構成する長さとされた帯状の天然木材からなる板材によって構成してある。かかる木質小幅板４０Ａは、典型的には、図５に示されるように木材の繊維方向に長い板材であって、当該板材における両面の各板面４０Ａａ、４０Ａａ間に比較的短尺の木口４０Ａｃと長尺の木端４０Ａｂを備えており、また、木質小幅板４０Ｂも、典型的には、同様に、木材の繊維方向に長い板材における両面の各板面４０Ｂａ間に比較的短尺の木口４０Ｂｃと長尺の木端４０Ｂｂとを備えた構成としてあって、例えば、従来における壁下地としての木摺り下地の構成に用いられる小幅板に相当する板材などによって構成してあり、典型的には、各木質小幅板４０Ａを夫々３５ｍｍ〜５５ｍｍの間隔を離して並設した状態で前記裏側小幅板群３０Ａを、また、各木質小幅板４０Ｂを夫々３５ｍｍ〜５５ｍｍの間隔を離して並設した状態で前記表側小幅板群３０Ｂを構成してある。
【００３４】
なお、前記裏側小幅板群３０Ａを構成する木質小幅板４０Ａ及び表側小幅板群３０Ｂを構成する木質小幅板４０Ｂは、典型的には、木表を互いに接合面として当該木表相互を夫々の交差部４１において接着剤による接着などによって一体に接合して当該壁下地材Ｋを構成してある。
【００３５】
かかる裏側小幅板群３０Ａと表側小幅板群３０Ｂとを一体として構成されている壁下地材Ｋは、典型的には、当該壁下地材Ｋを柱１０１や間柱１０２や横架材１０３などの躯体１００に取付ける際に、この備えつけられる各壁下地材Ｋが、互いに重なり合うことのない大きさ、例えば、夫々躯体１００に取付けられる壁下地材Ｋが、当該躯体１００における柱１０１や間柱１０２の幅の中央位置まで延びる横幅を備え、且つ、上下にある横架材１０３において、当該壁下地材Ｋが該横架材１０３に備えられる他の壁下地材Ｋに重なり合わない縦幅を備えたものとして構成されている。
【００３６】
かかる裏側小幅板群３０Ａと表側小幅板群３０Ｂとが互いの交差部４１において接合一体とされている壁下地材Ｋにあっては、当該壁下地材Ｋにおける裏側小幅板群３０Ａを構成する各木質小幅板４０Ａ間と、表側小幅板群３０Ｂを構成する各木質小幅板４０Ｂ間に、夫々傾斜状の隙間４２が備えられており、この隙間４２によって、建物Ｂに構成される壁Ｂ’を構成する当該壁下地材Ｋが適度の換気機能を当該壁Ｂ’にもたらす。
【００３７】
また、かかる裏側小幅板群３０Ａと表側小幅板群３０Ｂとが互いの交差部４１において接合一体とされている壁下地材Ｋにあっては、当該壁下地材Ｋにおける裏側小幅板群３０Ａを構成する木質小幅板４０Ａと表側小幅板群３０Ｂを構成する木質小幅板４０Ｂとの間に、夫々格子目状の孔３１が該壁下地材Ｋの厚さ方向を貫通した状態で備えられており、この孔３１によって、建物Ｂに構成される壁Ｂ’を構成する当該壁下地材Ｋが適度の通湿機能を当該壁Ｂ’にもたらす。
【００３８】
また、かかる裏側小幅板群３０Ａと表側小幅板群３０Ｂとが互いの交差部４１において接合一体とされている壁下地材Ｋにあっては、当該壁下地材Ｋにおける裏側小幅板群３０Ａを構成する各木質小幅板４０Ａと、表側小幅板群３０Ｂを構成する各木質小幅板４０Ｂとが互いに交差し、しかも、これらの各木質小幅板４０Ａと各木質小幅板４０Ｂを夫々両端において建物Ｂにおける柱１０１や間柱１０２や横架材１０３間に斜めに渡って止め付け得る構成としてあり、この木質小幅板４０Ａ及び木質小幅板４０Ｂが夫々筋かいとして機能し、当該壁下地材Ｋにおける各木質小幅板４０Ａ及び木質小幅板４０Ｂを建物Ｂの躯体１００に夫々止め付けて壁下地を構成すると共に、この壁下地を用いて壁Ｂ’を構成した際に、当該壁Ｂ’を相応の壁強度を備えた壁とすることができる。
【００３９】
この実施の形態に係る壁下地材Ｋは、上記の裏側小幅板群３０Ａを構成する木質小幅板４０Ａと表側小幅板群３０Ｂを構成する木質小幅板４０Ｂとが互いの交差部４１において接合一体とされていると共に、
表側小幅板群３０Ｂを構成する木質小幅板４０Ｂの表面部４３、即ち、前記裏側小幅板群３０Ａを構成する木質小幅板４０Ａの板面４０Ａａと向き合っている板面４０Ｂａと反対の側にある当該木質小幅板４０Ｂの板面４０Ｂａにおける該壁下地材Ｋの前記躯体１００に対する取付け位置に、該壁下地材Ｋの少なくとも各側縁Ｋａに沿って、即ち、前記各仮想の直線ｔ、ｔ’に沿い且つ該仮想の直線ｔ、ｔ’に平行に直線状の凹筋５１又は直線状の切り筋５２を設けてあり、
しかも、該壁下地材Ｋが、防腐剤や防蟻剤などの木材保存処理薬剤と着色剤と希釈水とからなる浸漬液又は当該木材保存処理薬剤と着色剤とを主成分とし水を希釈液とした浸漬液に対して浸漬され且つ該浸漬液から取り出し乾燥されて、前記凹筋５１又は切り筋５２を前記着色剤によって目立たされた該壁下地材Ｋの止め付け用基準線５０とするようにしてある。
なお、前記木質小幅板４０Ｂの表面部４３に備えられている前記凹筋５１又は切り筋５２は、より典型的且つ具体的には、前記木質小幅板４０Ａ及び前記木質小幅板４０Ｂにおける夫々の木口４０Ａｃ、４０Ｂｃに沿い、且つ該木口４０Ａｃ、４０Ｂｃに平行に備えられており、より好ましくは、前記木質小幅板４０Ａ及び前記木質小幅板４０Ｂの夫々の側端部における相互の重なり合い部分に備えられている。
【００４０】
かかる壁下地材Ｋに備えられる凹筋５１又は切り筋５２により構成される止め付け用基準線５０は、前記建物Ｂの躯体部１００に対する当該壁下地材Ｋの取り付け位置に備えられている。
より具体的には、該壁下地材Ｋにおける躯体１００に対する取り付け部分である上側縁部Ｋｂ１に該壁下地材Ｋの上側縁Ｋａ１に沿って備えられている上側止め付け用基準線５０ａと、
該壁下地材Ｋにおける躯体１００に対する取り付け部分である下側縁部Ｋｂ２に該壁下地材Ｋの下側縁Ｋａ２に沿って備えられている下側止め付け用基準線５０ｂと、
この上側止め付け用基準線５０ａ及び下側止め付け用基準線５０ｂ間を結ぶように、該壁下地材Ｋにおける躯体１００に対する取り付け部分である左側縁部Ｋｂ３及び右側縁部Ｋｂ３’とに該壁下地材Ｋの左側縁Ｋａ３及び右側縁Ｋａ３’に沿って備えられている左側止め付け用基準線５０ｃ及び右側止め付け用基準線５０ｃ’とを当該壁下地材Ｋの側縁部Ｋａを周回するように有しており、
この上側止め付け用基準線５０ａ及び下側止め付け用基準線５０ｂ位置で当該壁下地材Ｋを横架材１０３に対して、また左側止め付け用基準線５０ｃ及び右側止め付け用基準線５０ｃ’位置で当該壁下地材Ｋを柱１０１又は間柱１０３に対して釘１０５やビスなどによって止め付け得る構成としてある。
また、前記壁下地材Ｋにおける幅側の中央を上下に亙って柱１０１又は間柱１０２に止め付け得るように、当該壁下地材Ｋにおける柱１０１又は間柱１０２に対する取り付け位置に、前記上側止め付け用基準線５０ａ及び下側止め付け用基準線５０ｂとの間を渡るように中央部止め付け用基準線５０ｄが備えられた構成としてある。
【００４１】
かかる止め付け用基準線５０を構成する凹筋５１又は切り筋５２は、当該凹筋５１又は切り筋５２が前記浸漬液に対する浸漬処理によって着色剤で目立たされた止め付け用基準線５０として機能する形態を備え、しかも、当該壁下地材Ｋを柱１０１や間柱１０２や各種横架材１０３などの躯体１００に取付ける位置に備えられており、典型的には、前記表側小幅板群３０Ｂを構成する木質小幅板４０Ｂの表面部４３に対して前記壁下地材Ｋにおける各側縁Ｋａに沿って該側縁Ｋａからほぼ１８ｍｍ内側に入った位置に、ほぼ幅が０．１ｍｍ〜１．０ｍｍで、深さがほぼ１．０ｍｍ〜３．０ｍｍの凹筋５１又は切り筋５２として構成してある。
【００４２】
この壁下地材Ｋに備えられている凹筋５１は前記木質小幅板４０Ｂの表面部４３に備えられている細長状あるいは線状の凹みであって、その凹みの形状はいかなる形状のものであってもよく、例えば、当該凹みが、四角形状断面や、Ｕ字状断面や、Ｖ字状断面などの各種の断面形状の凹筋５１などとして備えられている。
また、かかる壁下地材Ｋに備えられている凹筋５１は、いかなる手段によって構成されていてもよく、例えば、筋けびきや、外周縁部が外周縁端に向けて漸次薄厚状の刃部とされている回転円盤状筋付け具や、外周縁端が円周方向に向けて順次に山状、谷状をなす刃部とされている回転円盤状筋付け具や、突き出しナイフなどの各種の凹筋の形成手段によって備えられている。
また、かかる凹筋５１は、例えば、木工用の溝突きカッターに類似する円盤状で、しかも、外周縁端に備えられている刃の刃幅が狭い刃を備えた回転円盤状筋付け具などの各種の切削刃を備えた凹筋の形成手段を用いて、当該木質小幅板４０Ｂの表面部４３に所要深さで且つ所要幅を備えた凹筋５１を切削によって形成し、あるいは、各種筋付け用の刃などを前記木質小幅板４０Ｂの表面部４３に押し付けることによって当該表面部４３に当該刃の押し込みに伴う線状に凹んだ凹筋５１を、いわゆる押し筋状に形成するなど各種方法で備えられている。
図６は、かかる凹筋５１の典型例としての四角形状断面の凹みを備えた凹筋５１ａを、図７は、かかる凹筋５１の他の典型例としてのＶ字状断面の凹みを備えた凹筋５１ｂを示している。
【００４３】
また、この壁下地材Ｋに備えられている切り筋５２は薄刃状の刃などの差し入れによって形成される前記木質小幅板４０Ｂの表面部４３に備えられている開口幅の狭い線状の切り込みであって、各種の手段、例えば、筋けびきや、外周縁部が外周縁端に向けて漸次薄厚状の薄刃とされている回転円盤状筋付け具や、外周縁端が円周方向に向けて順次に山状、谷状をなす薄刃とされている回転円盤状筋付け具や、薄刃の突き出しナイフなどの各種の切り筋の形成手段によって備えられている。
図８は、かかる切り筋５２の典型例を示している。
【００４４】
なお、前記表側小幅板群３０Ｂを構成する木質小幅板４０Ｂの表面部４３に備えられている凹筋５１又は切り筋５２は、当該夫々の木質小幅板４０Ｂの表面部４３において一続きのものとして構成してあっても、また、所定の間隔を離して順次に一連に連続するように備えられた構成としてあってもよい。
【００４５】
このように壁下地材Ｋに備えられている凹筋５１又は切り筋５２は、この壁下地材Ｋに対して施される着色及び薬剤処理によって該着色剤で目立たされた止め付け用基準線５０としてある。
即ち、防腐剤や防蟻剤などの木材保存処理薬剤と着色剤と希釈水とからなる浸漬液又は当該木材保存処理薬剤と着色剤とを主成分とし水を希釈液とした浸漬液に対して当該壁下地材Ｋを浸漬し、次いで、これを該浸漬液から取り出し乾燥することによって、当該壁下地材Ｋにおける前記凹筋５１又は切り筋５２を該着色剤によって目立たされた止め付け用基準線５０としてある。
【００４６】
かかる壁下地材Ｋの浸漬に用いられる典型的な浸漬液は、前記木材保存処理薬剤と着色剤と希釈水とからなり、例えば、当該木材保存処理薬剤に着色剤を加えた混合物を水で希釈して得られる浸漬液、木材保存処理薬剤を水で希釈した希釈液に着色剤を加えて得られる浸漬液、着色剤を混入した水で木材保存処理薬剤を希釈して得られる浸漬液など、各種の方法で得られる浸漬液を用いることができる。
【００４７】
また、かかる壁下地材Ｋの浸漬に用いられる他の典型的な浸漬液は、前記木材保存処理薬剤と着色剤とを主成分とし水を希釈液とした浸漬液としてあり、前記木材保存処理薬剤、着色剤及び希釈水に、他の薬剤、例えば、壁下地材Ｋに難燃効果や寸法安定効果が特に必要な場合などに、それぞれ、その効果を得ることができる薬剤を適宜加えた浸漬液とする。
かかる浸漬液は、例えば、当該木材保存処理薬剤に着色剤を加えた混合物を水で希釈し且つ適宜の段階で前記難燃効果や寸法安定効果などを得るための薬剤を加えて得られる浸漬液、木材保存処理薬剤を水で希釈した希釈液に着色剤を加え且つ適宜の段階で前記難燃効果や寸法安定効果などを得るための薬剤を加えて得られる浸漬液、着色剤を混入した水で木材保存処理薬剤を希釈し且つ適宜の段階で前記難燃効果や寸法安定効果などを得るための薬剤を加えて得られる浸漬液など、各種の方法で得られる浸漬液を用いることができる。
【００４８】
かかる壁下地材Ｋの浸漬に用いられる浸漬液は、防腐剤や防蟻剤などの木材保存処理薬剤と着色剤と希釈水とからなる浸漬液又は当該木材保存処理薬剤と着色剤とを主成分とし水を希釈液とした浸漬液であれば、いかなる浸漬液であってもよく、当該木材保存処理薬剤と着色剤と希釈水とからなる浸漬液に前記壁下地材Ｋが浸漬され且つ該浸漬液から取り出し乾燥されて、当該浸漬液に含まれている前記木材保存処理薬剤が含浸され且つ前記凹筋５１又は切り筋５２が前記着色剤によって目立たされた止め付け用基準線５０とされた壁下地材Ｋとされる。
また、当該木材保存処理薬剤と着色剤とを主成分とし水を希釈液とした浸漬液に前記壁下地材Ｋが浸漬され且つ該浸漬液から取り出し乾燥されて、当該浸漬液に含まれている前記木材保存処理薬剤などの薬剤が含浸され且つ前記凹筋５１又は切り筋５２が前記着色剤によって目立たされた止め付け用基準線５０とされた壁下地材Ｋとされる。
【００４９】
例えば、ピレスロイド様防蟻剤（エトフェンプロックス）、トリアゾール系防腐剤（テプコナゾール）及び有機ヨウ素系防腐・防カビ剤（ＩＰＢＣ）からなる群から選ばれる一種以上の薬剤に、界面活性剤、高沸点溶剤及び／又は安定剤などを加えた木材保存処理薬剤を水で希釈し、且つ、これに、各種の顔料からなる着色剤を混合して得られた浸漬液に対して、
前記壁下地材Ｋを、当該壁下地材Ｋを構成する各木質小幅板４０Ａ及び木質小幅板４０Ｂにおける表面積に対して、ほぼ１１０ｇ／ｍ2 の含浸量となるように浸漬し、且つ、この浸漬液から取り出し乾燥させることにより当該壁下地材Ｋの浸漬処理をなすことができる。
なお、前記顔料は、有機顔料が望ましい。また、浸漬液中の顔料の固形分比率は０．０１重量％〜０．０６重量％が望ましい。
【００５０】
かかる浸漬液に浸漬処理されて得られる当該壁下地材Ｋは、当該浸漬液に含まれている前記木材保存処理薬剤などの薬剤が含浸されており、且つ、前記凹筋５１又は切り筋５２が、当該浸漬液に含まれている着色剤によって他の部分よりも濃く着色されて他の部分と容易に識別し得るように目立たされた止め付け用基準線５０とされている。
【００５１】
このように構成される壁下地材Ｋは、これを用いて構成しようとする壁下地の構成に必要な枚数分を用意し、この用意された各壁下地材Ｋを構成対象とされる建物Ｂにおける柱１０１や、間柱１０２や、横架材１０３などの構造躯体１００に対して、該壁下地材Ｋにおける裏側小幅板群３０Ａを構成する木質小幅板４０Ａの側を添装状態になすと共に、前記表側小幅板群３０Ｂを構成する木質小幅板４０Ｂに備えられている止め付け用基準線５０上より、順次に釘１０５やビスなどを用いて止め付けることによって、構成対象とされる壁Ｂ’の壁下地を容易に構成することができる。
【００５２】
図１、図９〜図１１は、この壁下地材Ｋを用いて壁下地を構成している典型的な適用例を示しているものであって、布基礎１０４上に土台１０３ａを横架材１０３として備えると共に柱１０１及び各間柱１０２を起立状態に備え、しかも、この各柱１０１や間柱１０２間に渡るように梁１０３ｂなどの横架材１０３を備えた典型的な建物Ｂの躯体１００に対して、当該壁下地材Ｋにおける前記裏側小幅板群３０Ａを構成する木質小幅板４０Ａの側の側縁部Ｋｂを該躯体１００における外面部に押し付け状態になすと共に、この壁下地材Ｋにおける前記上側止め付け用基準線５０ａ及び下側止め付け用基準線５０ｂ位置で当該壁下地材Ｋを横架材１０３に対して、また左側止め付け用基準線５０ｃ及び右側止め付け用基準線５０ｃ’位置で当該壁下地材Ｋを柱１０１又は間柱１０３に対して釘１０５やビスなどによって止め付け、中央部止め付け用基準線５０ｄ位置で当該壁下地材Ｋを柱１０１又は間柱１０２に止め付けて当該部分における壁仕上げ用の壁下地を構成すると共に、順次に同様の手法で構成対象とされる壁Ｂ’の躯体１００に対して当該他の壁下地材Ｋを取付けることによって壁Ｂ’の壁下地を構成する。
【００５３】
この壁下地の構成において、前記表側小幅板群３０Ｂを構成している木質小幅板４０Ｂ及び裏側小幅板群３０Ａを構成している木質小幅板４０Ａの夫々の側端部を前記止め付け用基準線５０位置で打ち込まれる釘１０５やねじ込まれるビスなどによって躯体１００に止め付けることによって、この壁下地材Ｋを構成している各木質小幅板４０Ａ及び各木質小幅板４０Ｂが夫々に当該躯体１００に対して筋かい状態に備えられ、構成される壁Ｂ’に相応の強度をもたらすように機能する。
【００５４】
このように構成される壁下地は、各種の壁仕上げに都合よく適合するものであって、例えば、前記で構成される壁下地に対して、サイディング材を防水透湿シートを介装した状態で前記壁下地材Ｋに取付けて壁Ｂ’を構成することができる。
また、前記で構成される壁下地に対して、前記壁下地材Ｋの面に、土壁塗りや、漆喰塗りや、プラスター塗りなどの各種の塗壁材の塗り付けによって各種の壁Ｂ’を構成することができる。
【００５５】
図示例の壁Ｂ’は、かかる壁下地材Ｋを用いて構成される壁下地にアスファルトフェルトなどの防水シート１０６を当該壁下地を構成する壁下地材Ｋを覆うように該壁下地材Ｋにタッカーの止め針などを用いて止め付けると共に、この防水シート１０６上にワイヤラスやメタルラスなどのラス１０７を釘で当該壁下地材Ｋに止め付けて設け、これにモルタル１０８を塗布して構成してある。
【００５６】
また、このように構成される壁下地材Ｋにあっては、これを用いて壁下地を構成した場合、前記裏側小幅板群３０Ａを構成する各木質小幅板４０Ａと表側小幅板群３０Ｂを構成する各木質小幅板４０Ｂとが筋かい状に躯体間に備えられて構成される壁Ｂ’に相応の強度をもたらすと共に、前記裏側小幅板群３０Ａを構成する各木質小幅板４０Ａ間及び表側小幅板群３０Ｂを構成する各木質小幅板４０Ｂ間に傾斜した隙間４２が備えられ、また、この壁下地の厚さ方向に、該壁下地材Ｋの裏側小幅板群３０Ａと表側小幅板群３０Ｂとが構成する格子目状の孔３１が貫通状態に備えられ、構成される壁下地に良好な通気性がもたらされる。
【００５７】
また、このように構成される壁下地材Ｋにあっては、この壁下地材Ｋの取扱において、これに備えられている止め付け用基準線５０が壁下地材Ｋの濡れ出しや他の部材との接触などによって損なわれることがなく、また、当該壁下地材Ｋを躯体１００に止め付け用いる際に該止め付け用基準線５０を容易且つ確実に目視できる。
【００５８】
また、このように構成される壁下地材Ｋにあっては、この壁下地材Ｋの取扱において、当該壁下地材Ｋが防腐剤や防蟻剤などの木材保存処理薬剤で処理済であることを容易且つ確実に認識することができる。
【００５９】
次いで、壁下地材Ｋの典型的な一実施の形態に係る製造方法について具体的に説明する。
【００６０】
この壁下地材Ｋの製造方法は、少なくとも上側縁部Ｋｂ１、下側縁部Ｋｂ２、左側縁部Ｋｂ３及び右側縁部Ｋｂ３’を躯体１００に止め付けて用いられる四角形状で格子状をなす壁下地材Ｋの製造方法であって、
板面４０Ａａ相互をほぼ同面状にして傾斜状に並設されている複数の木質小幅板４０Ａからなる裏側小幅板群３０Ａと、
この裏側小幅板群３０Ａを構成する前記木質小幅板４０Ａと交差する向きに傾斜し、且つ、板面４０Ｂａ相互をほぼ同面状にして並設されている複数の木質小幅板４０Ｂからなる表側小幅板群３０Ｂとを備えており、
しかも、前記裏側小幅板群３０Ａを構成する前記木質小幅板４０Ａが夫々所定の間隔を離して平行に備えられており、且つ、前記表側小幅板群３０Ｂを構成する前記木質小幅板４０Ｂが夫々所定の間隔を離して平行に備えられていると共に、
前記裏側小幅板群３０Ａを構成する前記夫々の木質小幅板４０Ａと、該木質小幅板４０Ａの板面４０Ａａに板面４０Ｂａを向き合わせて重ね合わせの状態に備えられている前記表側小幅板群３０Ｂを構成する前記夫々の木質小幅板４０Ｂとが互いの交差部４１で接合一体とされており、
且つ、前記表側小幅板群３０Ｂを構成する前記木質小幅板４０Ｂの表面部４３に、直線状の凹筋５１又は直線状の切り筋５２が前記壁下地材Ｋの少なくとも各側縁Ｋａに沿って設けてあり、
しかも、この壁下地材Ｋが防腐剤や防蟻剤などの木材保存処理薬剤と着色剤と希釈水とからなる浸漬液又は当該木材保存処理薬剤と着色剤とを主成分とし水を希釈液とした浸漬液に浸漬され且つ該浸漬液から取り出し乾燥されて、前記凹筋５１又は前記切り筋５２を前記着色剤によって目立たされた該壁下地材Ｋの止め付け用基準線５０とするようにしてある壁下地材Ｋの製造方法に関する。
【００６１】
かかる壁下地材Ｋを製造する典型的な一実施の形態に係る製造方法は、
複数の木質小幅板材２０Ａを、傾斜状に、しかも、所定の間隔を離して平行に、且つ板面２０Ａａ相互をほぼ同面状に並設して第１の小幅板材群１０Ａを構成すると共に、
この第１の小幅板材群１０Ａを構成する前記木質小幅板材２０Ａの板面２０Ａａに板面２０Ｂａを向き合わせて該第１の小幅板材群１０Ａを構成する前記木質小幅板材２０Ａに重ね合わせの状態に備えられる第２の小幅板材群１０Ｂを構成する複数の木質小幅板材２０Ｂを、該第１の小幅板材群１０Ａを構成する前記木質小幅板材２０Ａと交差する向きに傾斜するように所定の間隔を離して平行に、且つ、板面２０Ｂａ相互をほぼ同面状にして並設し、且つ、前記第１の小幅板材群１０Ａを構成する前記木質小幅板材２０Ａに夫々の交差部２１で接合一体として一次壁下地中間材Ｋ’を構成する工程と、
この一次壁下地中間材Ｋ’を切断して該一次壁下地中間材Ｋ’を所定の大きさとする切断処理工程と、
この一次壁下地中間材Ｋ’の切断処理工程において、この一次壁下地中間材Ｋ’の移動又は該一次壁下地中間材Ｋ’の切断手段の移動に伴って、当該一次壁下地中間材Ｋ’における前記第１の小幅板材群１０Ａの木質小幅板材２０Ａ及び第２の小幅板材群１０Ｂの木質小幅板材２０Ｂの一方の、前記壁下地材Ｋの表側を構成する木質小幅板材の表面部２３に、少なくとも前記切断手段による切断縁に沿って又は少なくとも前記切断手段による切断予定線に沿って直線状の凹筋５１又は直線状の切り筋５２を形成する工程と、
この切断処理工程と、前記凹筋５１又は切り筋５２の形成工程とを経て得られた二次壁下地中間材Ｋ”を、防腐剤や防蟻剤などの木材保存処理薬剤と着色剤と希釈水とからなる浸漬液９５又は当該木材保存処理薬剤と着色剤とを主成分とし水を希釈液とした浸漬液９５に浸漬すると共に該浸漬液９５から取り出し乾燥して、前記凹筋５１又は前記切り筋５２を前記着色剤によって目立たされた該壁下地材Ｋの止め付け用基準線５０とする着色及び薬剤の処理工程とを有する構成としてある。
【００６２】
なお、前記の「板面２０Ａａ相互をほぼ同面状に並設」とは、前記の複数の木質小幅板材２０Ａが、夫々における木口及び木端により囲まれた上側にある板面２０Ａａ相互及び下側にある板面２０Ａａ相互をほぼ同面状にして並設されることを意味している。
また、前記の「板面２０Ｂａ相互をほぼ同面状に並設」とは、前記の複数の木質小幅板材２０Ｂが、夫々における木口及び木端により囲まれた上側にある板面２０Ｂａ相互及び下側にある板面２０Ｂａ相互をほぼ同面状にして並設されることを意味している。
【００６３】
このように構成される壁下地材Ｋの製造方法にあっては、前記の典型的な実施の形態において明らかにされた構成の壁下地材Ｋを容易且つ確実に提供でき、特に、前記止め付け用基準線５０を当該壁下地材Ｋに対して容易且つ確実に低コストでもたらすことができる。
【００６４】
「一次壁下地中間材の構成工程」
まず壁下地材Ｋにおける裏側小幅板群３０Ａ及び表側小幅板群３０Ｂを構成する第１の小幅板材群１０Ａ及び第２の小幅板材群１０Ｂの各構成材である木質小幅板材２０Ａ及び木質小幅板材２０Ｂを用意する。
図１２は、かかる木質小幅板材２０Ａ及び木質小幅板材２０Ｂの典型例を示したものであって、所要幅の長方形の板材であって、典型的には、建物Ｂにおける壁仕上げに用いられる下地を構成し得る特性を備えた各種の素材、より具体的には、壁Ｂ’の下地を構成する前記壁下地材Ｋにおける裏側小幅板群３０Ａ及び表側小幅板群３０Ｂを構成する第１の小幅板材群１０Ａ及び第２の小幅板材群１０Ｂの構成材として求められる特性を備えた各種の素材、例えば、従来における壁下地としての木摺り下地の構成に用いられる小幅板に相当する板材などが用いられる。
かかる木質小幅板材２０Ａは板面２０Ａａ、２０Ａａ間に比較的短尺の木口２０Ａｃ及び長尺の木端２０Ａｂを備えた構成としてあり、又、前記木質小幅板材２０Ｂは板面２０Ｂａ、２０Ｂａ間に比較的短尺の木口２０Ｂｃ及び長尺の木端２０Ｂｂを備えた構成としてあって、好ましくは、ほぼ、９〜１２ｍｍの板厚で、４０〜１００ｍｍの板幅で、しかも、前記四角形状で格子状をなす壁下地材Ｋを構成するに適した長さの天然木材よりなる繊維方向に長い帯状の板材として用意される。
【００６５】
かかる木質小幅板材２０Ａ及び木質小幅板材２０Ｂを用いた一次壁下地中間材Ｋ’の構成は各種の方法によって、当該木質小幅板材２０Ａ及び木質小幅板材２０Ｂ相互を接合一体にすることによってなすことができる。
かかる一次壁下地中間材Ｋ’は、例えば、当該木質小幅板材２０Ａ及び木質小幅板材２０Ｂのいずれか一方の木質小幅板材、例えば、第１の小幅板材群１０Ａを構成する木質小幅板材２０Ａを、斜めに傾斜し、且つ、所定の間隔を離して平行に、しかも、その板面２０Ａａ相互を同面状に並設する手段、及び、他方の木質小幅板材である、例えば、第２の小幅板材群１０Ｂを構成する木質小幅板材２０Ｂを、前記の並設された第１の小幅板材群１０Ａの木質小幅板材２０Ａに対して、交差し、且つ、所定の間隔を離して平行に、しかも、その板面２０Ｂａ相互を同面状に並設する手段を備えた組み付け用台９０を用意し、この組み付け用台９０を用いて、並設される当該第１の小幅板材群１０Ａと並設される該第２の小幅板材群１０Ｂとを、該第１の小幅板材群１０Ａを構成する木質小幅板材２０Ａの板面２０Ａａと該第２の小幅板材群１０Ｂを構成する木質小幅板材２０Ｂの板面２０Ｂａとを向き合わせるようになすと共に、夫々の交差部２１において一体に接合して構成することができる。
【００６６】
かかる木質小幅板材２０Ａ及び木質小幅板材２０Ｂの並設に用いられる組み付け用台９０は、これらの木質小幅板材２０Ａ相互、及び木質小幅板材２０Ｂ相互を所定の間隔を離して平行に容易に並設できると共に、当該並設される一方の木質小幅板材、例えば第１の小幅板材群１０Ａを構成する木質小幅板材２０Ａに対して、所定の角度、典型的には、直角で交差するように他方の木質小幅板材、例えば第２の小幅板材群１０Ｂを構成する木質小幅板材２０Ｂを並設できる構成を備えたものとしてある。
この図示例では、その典型的な組み付け用台９０として直角四辺形をなす台部９０’に前記木質小幅板材２０Ａ及び木質小幅板材２０Ｂを納め入れて一次壁下地中間材Ｋ’を構成する凹部９１を備えたものとしてあり、この凹部９１の凹部周壁としての突き当てガイド９２面に当該木質小幅板材２０Ａ及び木質小幅板材２０Ｂの木口２０Ａｃ、２０Ｂｃ及び木端２０Ａｂ、２０Ｂｄを適宜を押し当てて当該木質小幅板材２０Ａ及び木質小幅板材２０Ｂを並設し得るようにしてある。
【００６７】
この組み付け用台９０における前記凹部９１は、前記木質小幅板材２０Ａ及び木質小幅板材２０Ｂが、その厚さ方向で少なくとも重なる深さ、即ち、この凹部９１内に前記木質小幅板材２０Ａ及び木質小幅板材２０Ｂを、その板面２０Ａａ、２０Ｂａを重ね合わせて納め入れ得る深さとしてある。
【００６８】
また、前記台部９０’は、夫々の隅部に、仮想の直角四辺形ｗの各隅部ｗ”を挟む二辺ｗ’、ｗ’に対して等角度で交差する仮想の線分ｙに沿う面を前記凹部９１の隅部ガイド面９２ａとする張出し隅部９０ａを備えており、また、該台部９０’には、この張出し隅部９０ａで構成されるガイド面９２ａに連続して備えられ且つ前記仮想の直角四辺形ｗの各辺ｗ’に沿って順次に連続して夫々の辺ｗ’から凹部９１内に突き出すように備えられている同一形状且つ同一大きさの山状突出し部９０ｂが設けてあり、この山状突出し部９０ｂの両面が、前記辺ｗ’に対して等角度をなすと共に先端で直交するように連続される一対のガイド面９２ｂとしてあって、この凹部９１内に前記木質小幅板材２０Ａ及び木質小幅板材２０Ｂの夫々を納め入れ状態に並設して一次壁下地中間材Ｋ’を構成するようにしてある。
【００６９】
即ち、ガイド面９２ｂは、前記凹部９１内にあって、前記一つの張出し隅部９０ａにあるガイド面９２ａの両端位置から該隅部９０ａの隣にある他の隅部９０ａのガイド面９２ａに向けて順次に突き出されている先端を直角とし、且つ前記辺ｗ’を斜辺とする二等辺三角形状の山状突出し部９０ｂの夫々の両面に備えられている一対のガイド面９２ｂであって、前記ガイド面９２ａに直交する向きにあるガイド面９２ｂ’と、このガイド面９２ａに平行な向きにあるガイド面９２ｂ”としてある。
【００７０】
また、前記ガイド面９２ａは２枚の木質小幅板材２０Ａ又は２枚の木質小幅板材２０Ｂを所定の間隔を離して当該ガイド面９２ａに夫々木口２０Ａｃ、２０Ｂｃを突き当てて納め入れ得る幅を備えたものとしてあり、前記ガイド面９２ｂは他のガイド面９２にガイドされて納め入れられる木質小幅板材２０Ａ又は木質小幅板材２０Ｂに対して所定の間隔を離して当該木質小幅板材２０Ａ又は木質小幅板材２０Ｂにおける木端２０Ａｂ、２０Ｂｂを押し当てて納め入れ得る幅を備えたものとしてあり、例えば、当該ガイド面９２ａ及びガイド面９２ｂが前記木質小幅板材２０Ａ又は木質小幅板材２０Ｂを夫々の木端間を３５ｍｍ〜５５ｍｍ離して並設し得る納め入れ幅を備えたものとして構成してある。
【００７１】
かかる組み付け用台９０に用いた一次壁下地中間材Ｋ’の構成は、当該組み付け用台９０に対して、前記第１の小幅板材群１０Ａを構成する木質小幅板材２０Ａと、前記第２の小幅板材群１０Ｂを構成する木質小幅板材２０Ｂのいずれを先に納め入れ状態に並設してあってもよく、これに他方の小幅板材群を構成する木質小幅板材を重ね合わせの状態に並設することによって構成することができる。例えば、この図示例にあっては、第１の小幅板材群１０Ａを構成する木質小幅板材２０Ａを、その板面２０Ａａを前記凹部９１の底面に接しさせて、この木質小幅板材２０Ａを所定の角度、この図示例にあっては、前記仮想の直角四辺形ｗの一方の辺ｗ’に平行な線分ｙ’に対して４５度の角度で傾斜するように並設する。（図１４参照）
【００７２】
この組み付け用台９０に対する木質小幅板材２０Ａの並設は、対角線上にある前記ガイド面９２ａの夫々に対して、一対の木質小幅板材２０Ａにおける一方側の木口２０Ａｃを接しさせ且つ木端２０Ａｂをこのガイド面９２ａに連続されているガイド面９２ｂ’に押し当てて当該木質小幅板材２０Ａを前記線分ｙ’に対して４５度の角度をなすように当該凹部９１内に納め入れ、この状態で当該木質小幅板材２０Ａの他方側を、この他方側に備えられているガイド面９２に接しさせることによって、当該一対の木質小幅板材２０Ａを所定の間隔を離して当該凹部９１内に並設する。
また、前記ガイド面９２ｂ”に対して、木質小幅板材２０Ａの木口２０Ａｃを接しさせ且つ木端２０Ａｂをこのガイド面９２ｂ”に直角に連続されている前記ガイド面９２ａと反対側にあるガイド面９２ｂ’に押し当てて該木質小幅板材２０Ａを前記線分ｙ’に対して４５度の角度をなすように凹部９１内に納め入れ、この状態で当該木質小幅板材２０Ａの他方側を、この他方側に備えられているガイド面９２に接しさせることによって、木質小幅板材２０Ａを順次に所定の間隔を離して当該凹部９１内に並設する。
また、前記一対の木質小幅板材２０Ａの木口２０Ａｃを接しさせた対角線上にある前記一対のガイド面９２ａに対応した他の対角線上にある一対のガイド面９２ａに対して木端２０Ａｂを押し付け、且つ、ガイド面９２ｂ’に対して木口２０Ａｃを接しさせて木質小幅板材２０Ａを前記凹部９１内に並設して第１の小幅板材群１０Ａを構成する。（図１３参照）
【００７３】
このように組み付け用台９０を用いて並設された第１の小幅板材群１０Ａを構成する木質小幅板材２０Ａに対して、第２の小幅板材群１０Ｂを構成する木質小幅板材２０Ｂを、その板面２０Ｂａの面に接着剤を塗布すると共に当該接着剤の塗布された板面２０Ｂａを前記木質小幅板材２０Ａの前記板面２０Ａａに押し付けるように重ね合わせて、順次に、夫々の当該木質小幅板材２０Ｂを、その板面２０Ｂａ相互をほぼ同面状とし、且つ、前記第１の小幅板材群１０Ａを構成する木質小幅板材２０Ａと交差するように前記凹部９１内に並設することによって、前記第１の小幅板材群１０Ａと該第２の小幅板材群１０Ｂとを、この第１の小幅板材群１０Ａを構成する木質小幅板材２０Ａと第２の小幅板材群１０Ｂを構成する木質小幅板材２０Ｂとの夫々の交差部２１における接着で一体に接合して一次壁下地中間材Ｋ’を構成する。（図１６参照）
【００７４】
この並設されている前記第１の小幅板材群１０Ａにおける板面２０Ａａに対して、板面２０Ｂａを重ね合わせ状態に備えられる第２の小幅板材群１０Ｂを構成する木質小幅板材２０Ｂは、典型的には、既に並設されている前記木質小幅板材２０Ａに対して直交する向きに交差する態様で当該凹部９１内で当該木質小幅板材２０Ａに対して夫々の交差部２１において接着状態に並設される。
即ち、前記の並設されている木質小幅板材２０Ａに対して重ね合わせ状態に接着備えられる木質小幅板材２０Ｂは、前記木質小幅板材２０Ａの並設に際して当該木質小幅板材２０Ａにおける木口２０Ａｃをガイド面９２ｂ’に接しさせ且つ木端２０Ａｂをガイド面９２ａに対して押し付けるようにして並設されている当該ガイド面９２ａに対して、一対の木質小幅板材２０Ｂにおける木口２０Ｂｃを接しさせ、且つ、該木質小幅板材２０Ｂの夫々の木端２０Ｂｂを該ガイド面９２ａに連続されているガイド面９２ｂ’に押し付けるようになすと共に前記第１の小幅板材群１０Ａを構成する木質小幅板材２０Ａの並設と同一の方法で当該第２の小幅板材群１０Ｂを構成する木質小幅板材２０Ｂを順次に当該凹部９１内に並設し、前記第１の小幅板材群１０Ａを構成する木質小幅板材２０Ａに対して直交する向きに接着並設される当該木質小幅板材２０Ｂによって第２の小幅板材群１０Ｂを構成し、この互いに接着一体とされる第１の小幅板材群１０Ａと第２の小幅板材群１０Ｂとによって、おおむね四角形状で、格子状をなす一次壁下地中間材Ｋ’を構成する。（図１５参照）
【００７５】
なお、前記第１の小幅板材群１０Ａを構成する木質小幅板材２０Ａに対する第２の小幅板材群１０Ｂを構成する木質小幅板材２０Ｂの接着は、組み付け用台９０に先に並設される木質小幅板材２０Ａに対して接着剤を塗布し、この接着剤の塗布されて並設されている木質小幅板材２０Ａに対して接着剤を塗布されていない木質小幅板材２０Ｂを重ね合わせ状態に並設して、当該木質小幅板材２０Ａ及び木質小幅板材２０Ｂ相互を、その交差部２１において当該接着剤を用いて接合一体にしてあってもよい。
また、前記記第１の小幅板材群１０Ａを構成する木質小幅板材２０Ａと第２の小幅板材群１０Ｂを構成する木質小幅板材２０Ｂとの接着は、前記のように木質小幅板材２０Ａ及び木質小幅板材２０Ｂのいずれか一方に接着剤を塗布して、当該木質小幅板材２０Ａと木質小幅板材２０Ｂとを接着する方法に代えて、当該木質小幅板材２０Ａ及び木質小幅板材２０Ｂの双方に対して接着剤を塗布して、この木質小幅板材２０Ａ及び木質小幅板材２０Ｂを接着一体としてもよい。
【００７６】
また、ここで第１の小幅板材群１０Ａを構成する木質小幅板材２０Ａと、第２の小幅板材群１０Ｂを構成する木質小幅板材２０Ｂの接着は当該木質小幅板材２０Ａと木質小幅板材２０Ｂの接着に都合の良い各種の接着剤を用いて接着される。
例えば、接着剤として水性ビニルウレタンを当該木質小幅板材２０Ａ及び木質小幅板材２０Ｂの双方又はいずれか一方の接合面に塗布して該木質小幅板材２０Ａと木質小幅板材２０Ｂとを接着すると共に高周波加熱を施すことによって当該木質小幅板材２０Ａよりなる第１の小幅板材群１０Ａと、木質小幅板材２０Ｂよりなる第２の小幅板材群１０Ｂとを一体に接合して一次壁下地中間材Ｋ’を構成する。
【００７７】
なお、前記木質小幅板材２０Ａ及び木質小幅板材２０Ｂの並設において凹部９１を備えた組み付け用台９０を用いたが、当該凹部９１を備えることなく、前記木質小幅板材２０Ａ及び木質小幅板材２０Ｂの夫々における少なくとも一方側を前記態様、即ち、木質小幅板材２０Ａ及び木質小幅板材２０Ｂ相互を直交する向きに並設し得る適宜のガイドを備えた組み付け用台によって当該木質小幅板材２０Ａ及び木質小幅板材２０Ｂの並設並びに接着処理をなすようにしてあってもよい。
【００７８】
このように接着一体とされた第１の小幅板材群１０Ａ及び第２の小幅板材群１０Ｂを備えて構成される一次壁下地中間材Ｋ’に対して、必要に応じて油圧プレスなどのプレス装置９３を用いて冷圧プレスを施して、当該一次壁下地中間材Ｋ’の接着養生をなす。（図１７参照）
【００７９】
このように構成される一次壁下地中間材Ｋ’にあっては、これを構成している前記第１の小幅板材群１０Ａ及び第２の小幅板材群１０Ｂを構成する前記木質小幅板材２０Ａ及び木質小幅板材２０Ｂが互いの交差部２１において一体に接着されており、しかも、この各交差部２１間に、この一次壁下地中間材Ｋ’の厚さ方向に貫通した孔１１を備え、且つ、各木質小幅板材２０Ａ間及び各木質小幅板材２０Ｂ間に隙間２２を備えた構成とされる。
【００８０】
「一次壁下地中間材の切断工程、凹筋又は切りの形成工程」
次いで、前記で得られた一次壁下地中間材Ｋ’の切断処理と凹筋又は切り筋の形成工程とについて説明する。
【００８１】
前記で得られた一次壁下地中間材Ｋ’に対して、当該一次壁下地中間材Ｋ’を壁下地材Ｋとして都合良く用い得る形状、寸法とする切断処理を施すと共に、この一次壁下地中間材Ｋ’に対する当該切断処理の工程において、この一次壁下地中間材Ｋ’の移動又は該一次壁下地中間材Ｋ’の切断手段６０の移動に伴って、当該一次壁下地中間材Ｋ’に対して直線状の凹筋５１又は直線状の切り筋５２を形成して二次壁下地中間材Ｋ”を構成する。
この凹筋５１又は切り筋５２は、当該一次壁下地中間材Ｋ’における第１の小幅板材群１０Ａを構成する木質小幅板材２０Ａ及び第２の小幅板材群１０Ｂを構成する木質小幅板材２０Ｂの一方の、前記壁下地材Ｋの表側を構成する前記木質小幅板材の表面部２３に対して、
少なくとも当該一次壁下地中間材Ｋ’の切断縁又は少なくとも当該一次壁下地中間材Ｋ’の切断予定線に沿って形成される。
【００８２】
なお、前記で得られた一次壁下地中間材Ｋ’に対する切断処理と、当該一次壁下地中間材Ｋ’の第１の小幅板材群１０Ａを構成する木質小幅板材２０Ａ及び第２の小幅板材群１０Ｂを構成する木質小幅板材２０Ｂの一方の、前記壁下地材Ｋの表側を構成する木質小幅板材の表面部２３に対する前記凹筋５１又は切り筋５２の形成とによって、当該凹筋５１又は切り筋５２の施された当該木質小幅板材を前記壁下地材Ｋにおける表側小幅板群３０Ｂを構成する木質小幅板４０Ｂとし、当該凹筋５１又は切り筋５２の施されていない他方の木質小幅板材を、前記壁下地材Ｋにおける裏側小幅板群３０Ａを構成する木質小幅板４０Ａとしてある。なお、前記一次壁下地中間材Ｋ’の第１の小幅板材群１０Ａを構成する木質小幅板材２０Ａ及び第２の小幅板材群１０Ｂを構成する木質小幅板材２０Ｂの一方における前記壁下地材Ｋの表側を構成する木質小幅板材を、以下、前記壁下地材Ｋの表側小幅板群３０Ｂの木質小幅板４０Ｂを構成する木質小幅板材として説明する。
【００８３】
かかる一次壁下地中間材Ｋ’に施される切断処理は、例えば、当該一次壁下地中間材Ｋ’を構成する前記木質小幅板材２０Ａ及び木質小幅板材２０Ｂの夫々の木口２０Ａｃ、２０Ｂｃが、四角形状の格子状に構成される壁下地材Ｋの側縁を構成する直線上に位置付けられるように当該側縁の一部を切断除去して、当該一次壁下地中間材Ｋ’によって構成される壁下地材Ｋを、壁Ｂ’を構成する躯体１００に対して都合良く組み付け得る形態とし、あるいは、順次に都合よく連続して組み付け得る形態とし、あるいは、複数の壁下地材Ｋを構成できる大きさに形成用意された一次壁下地中間材Ｋ’を夫々の壁下地材Ｋの大きさに分割するなどの目的で当該一次壁下地中間材Ｋ’に施される。
【００８４】
かかる一次壁下地中間材Ｋ’に対する切断処理は、当該一次壁下地中間材Ｋ’に対していかなる切断手段によって施されていてもよく、例えば、各種の丸のこ盤や各種の帯のこ盤などを用いて当該一次壁下地中間材Ｋ’に切断処理を施す。また、かかる一次壁下地中間材Ｋ’に対する切断処理は、当該一次壁下地中間材Ｋ’を各種切断手段に対して移動させることによって当該一次壁下地中間材Ｋ’に施されていても、また、当該一次壁下地中間材Ｋ’に対して各種切断手段を移動させることによって当該一次壁下地中間材Ｋ’に施されていても良く、例えば、当該一次壁下地中間材Ｋ’を丸のこ盤や帯のこ盤などのテーブル面上を移動させて当該一次壁下地中間材Ｋ’に切断処理を施し、あるいは、走行丸のこ盤などを用いて、テーブル上に備えられた当該一次壁下地中間材Ｋ’に対して丸のこを移動させて当該一次壁下地中間材Ｋ’に切断処理を施すようにしてあってもよい。
【００８５】
図１８及び図１９は、前記で得られた一次壁下地中間材Ｋ’に対して、切断処理と、凹筋５１又は切り筋５２を形成する典型的な一例を模式的に示したものであって、前記壁下地材Ｋの表側小幅板群３０Ｂの木質小幅板４０Ｂを構成する木質小幅板材の表面部２３を上方にして、当該一次壁下地中間材Ｋ’を用意し、この用意された当該一次壁下地中間材Ｋ’の上方から前記木質小幅板材の表面部２３に対して筋形成手段７０により凹筋５１又は切り筋５２を形成すると共に切断手段によって切断する状態を示している。
【００８６】
この図示例は、長方形状に構成されている当該一次壁下地中間材Ｋ’における各長手縁に沿った当該一次壁下地中間材Ｋ’における側縁部と、各短手縁に沿った当該一次壁下地中間材Ｋ’における側縁部とを切断除去部Ｋ’ｘとして、これを切断して取り除いて、構成される壁下地材Ｋにおける木質小幅板４０Ａ及び木質小幅板４０Ｂにおける木口４０Ａｃ、４０Ｂｃが当該壁下地材Ｋにおける各側縁Ｋａ、即ち、上側縁Ｋａ１、下側縁Ｋａ２、左側縁Ｋａ３及び右側縁Ｋａ３’の夫々において夫々前記仮想の直線ｔ、ｔ’上に位置付けられる構成とし、同時に、この切断される一次壁下地中間材Ｋ’に対して、当該一次壁下地中間材Ｋ’の切断縁に沿って、当該切断によって構成される前記壁下地材Ｋにおける各側縁Ｋａに沿って当該壁下地材Ｋに備えられる当該壁下地材Ｋの躯体１００に対する取り付けに用いられる止め付け用基準線５０を構成する凹筋５１又は切り筋５２を前記の壁下地材Ｋの表側小幅板群３０Ｂの木質小幅板４０Ｂを構成する木質小幅板材の表面部２３に形成する状態を示している。
【００８７】
かかる一次壁下地中間材Ｋ’に対する切断処理は、この各図示例にあっては、互いに直交するように重ね合わされている前記木質小幅板材２０Ａ及び木質小幅板材２０Ｂ相互の各側端にあるほぼ正方形状をなす交差部２１における該一次壁下地中間材Ｋ’の側縁に沿う向きにある対角線を通るように、図１６における仮想線ｍ−ｍの線上で施されており、この切断除去部Ｋ’ｘの切断などによって構成される壁下地材Ｋが、当該壁下地材Ｋにおける上側縁部Ｋｂ１、下側縁部Ｋｂ２、左側縁部Ｋｂ３及び右側縁部Ｋｂ３’において確実に躯体１００に対して止め付け得る構成としてある。
【００８８】
なお、以下の図示例にあっては、前記の第２の小幅板材群１０Ｂを構成する木質小幅板材２０Ｂを当該壁下地材Ｋの表側を構成する表側小幅板群３０Ｂの木質小幅板４０Ｂを構成する木質小幅板材として説明する。
まず、かかる木質小幅板材２０Ｂを上側にして用意された一次壁下地中間材Ｋ’に対して、切断手段６０として、例えば、丸のこ盤６０’を用いて切断処理を施し、当該一次壁下地中間材Ｋ’における向き合った一対の長手縁に沿った当該側縁部を切断除去部Ｋ’ｘとして切断、取り除くと共に、この木質小幅板材２０Ｂの表面部２３に対して、筋形成手段７０によって、当該壁下地材Ｋを躯体１００に取り付け得る位置にある前記各長手縁に沿うように、壁下地材Ｋの側縁Ｋａに沿って備えられる止め付け用基準線５０を構成する凹筋５１又は切り筋５２を前記切断手段６０の切断縁に沿い且つ該切断縁に対して平行に形成させている。
また、この凹筋５１又は切り筋５２の形成と同時に筋形成手段７０によって、一次壁下地中間材Ｋ’における幅側のほぼ中央を該一次壁下地中間材Ｋ’の長手間に亙るように、壁下地材Ｋの中央部止め付け用基準線５０ｄを構成する凹筋５１又は切り筋５２を前記切断縁に平行に形成させている。（図１８参照）
【００８９】
更に、前記工程によって長手縁に沿った切断除去部Ｋ’ｘの取り除きと、前記凹筋５１又は切り筋５２の形成された一次壁下地中間材Ｋ’に対して、更に、前記と同様の手段を用いて、当該一次壁下地中間材Ｋ’における向き合った一対の短手縁に沿った当該側縁部を切断除去部Ｋ’ｘとして切断、取り除くと共に、前記の壁下地材Ｋの表側小幅板群３０Ｂの木質小幅板４０Ｂを構成する木質小幅板材２０Ｂの表面部２３に対して、筋形成手段７０によって、当該壁下地材Ｋを躯体１００に取り付け得る位置にある前記短手縁に沿うように、壁下地材Ｋの側縁Ｋａに沿って備えられる止め付け用基準線５０を構成する凹筋５１又は切り筋５２を前記切断手段６０の切断縁に沿い且つ該切断縁に対して平行に形成させている。（図１９参照）
【００９０】
なお、前記の切断処理と、凹筋５１又は切り筋５２の形成は、前記のように互いに向き合っている両側縁に同時に施されることなく、当該一次壁下地中間材Ｋ’における向き合っている側縁のいずれかの側毎に各別に施されるようにしてあってもよい。
また、前記の一次壁下地中間材Ｋ’の互いに向き合った側縁Ｋａ間に備えられる凹筋５１又は切り筋５２は、前記のように一本に限定されるものでなく、複数本の凹筋５１又は切り筋５２として備えられていてもよく、また、当該一次壁下地中間材Ｋ’における両側縁に対する凹筋５１又は切り筋５２の形成と別段の工程で形成するようにしてあってもよい。
また、前記の切断処理と、凹筋５１又は切り筋５２の形成は、当該一次壁下地中間材Ｋ’の短手縁から先に施された後に長手縁に沿って施されるようにしてあってもよい。
【００９１】
かかる一次壁下地中間材Ｋ’に対する凹筋５１又は切り筋５２の形成は、前記切断手段６０による該一次壁下地中間材Ｋ’に対する切断処理工程において形成されておればよく、例えば、当該切断処理工程において当該切断手段６０による切断処理と同時に該一次壁下地中間材Ｋ’に形成するようにしてあってもよく、また、当該切断処理工程において当該切断手段６０による切断後に該一次壁下地中間材Ｋ’に形成するようにしてあっても良く、更に、当該切断処理工程において当該切断手段６０による切断前に該一次壁下地中間材Ｋ’に形成するようにしてあってもよい。
また、かかる一次壁下地中間材Ｋ’に対する凹筋５１又は切り筋５２の形成は、当該一次壁下地中間材Ｋ’に対する前記切断手段６０による切断縁に沿って形成されていても、また、切断予定線、即ち、まだ切断されていない一次壁下地中間材Ｋ’部分に当該切断手段６０による当該切断予定線に沿って形成するようにしてあってもよい。
【００９２】
かかる一次壁下地中間材Ｋ’の切断工程において、この一次壁下地中間材Ｋ’における前記壁下地材Ｋの表側小幅板群３０Ｂの木質小幅板４０Ｂを構成する木質小幅板材、前記図示例にあっては、壁下地材Ｋの表側小幅板群３０Ｂの木質小幅板４０Ｂを構成する木質小幅板材２０Ｂの表面部２３に対してなされる凹筋５１又は切り筋５２の形成は、当該一次壁下地中間材Ｋ’の移動又は該一次壁下地中間材Ｋ’の切断手段６０の移動に伴って、当該一次壁下地中間材Ｋ’における前記表面部２３になし得るものであれば、いかなる手段で施されていてもよく、例えば、当該一次壁下地中間材Ｋ’の切断手段６０である丸のこ盤や帯のこ盤に当該凹筋５１又は切り筋５２の筋形成手段７０を設け、この丸のこ盤や帯のこ盤に備えられている当該凹筋５１又は切り筋５２の筋形成手段７０に対して該一次壁下地中間材Ｋ’を移動して、この一次壁下地中間材Ｋ’における前記表面部２３に凹筋５１又は切り筋５２を形成し、あるいは、走行丸のこ盤に当該凹筋５１又は切り筋５２の筋形成手段７０を設け、この走行丸のこ盤の移動によって当該一次壁下地中間材Ｋ’における前記表面部２３に凹筋５１又は切り筋５２を形成する。
【００９３】
かかる一次壁下地中間材Ｋ’における前記壁下地材Ｋの表側小幅板群３０Ｂの木質小幅板４０Ｂを構成する木質小幅板材２０Ｂの表面部２３に設けられる凹筋５１又は切り筋５２は、当該一次壁下地中間材Ｋ’によって形成される壁下地材Ｋにおける前記表面部２３の少なくとも各側縁Ｋａに沿って、該壁下地材Ｋにおける側縁部Ｋｂに備えられるように形成されており、少なくとも側縁部を切断除去部Ｋ’ｘとして切断された切断縁又は切断される切断予定線に沿って形成される。かかる凹筋５１又は切り筋５２は、典型的には、前記切断縁からほぼ１８ｍｍ内側に入った位置に、ほぼ幅が０．１ｍｍ〜１．０ｍｍで、深さがほぼ１．０ｍｍ〜３．０ｍｍのものとして備えられる。
【００９４】
かかる一次壁下地中間材Ｋ’における前記壁下地材Ｋの表側小幅板群３０Ｂの木質小幅板４０Ｂを構成する木質小幅板材２０Ｂの表面部２３に対する凹筋５１又は切り筋５２の形成は、当該凹筋５１又は切り筋５２の筋形成手段７０を、前記切断手段６０による該一次壁下地中間材Ｋ’の切断縁又は切断予定線よりも該一次壁下地中間材Ｋ’における内側に所定間隔離した位置に設け、当該一次壁下地中間材Ｋ’に対する切断工程において、この凹筋５１又は切り筋５２の筋形成手段７０を用いて、当該一次壁下地中間材Ｋ’の表面部２３に対して当該凹筋５１又は切り筋５２を形成することによって、当該一次壁下地中間材Ｋ’の夫々の切断縁又は切断予定線に沿って、当該切断縁又は切断予定線から一定間隔内側に入った位置に、当該切断縁又は切断予定線に平行な直線状の凹筋５１又は直線状の切り筋５２を形成することができる。
【００９５】
また、この凹筋５１又は切り筋５２の筋形成手段７０を、前記切断手段６０による前記一次壁下地中間材Ｋ’の切断縁又は切断予定線との間の間隔を調整し得るように設けておくことによって、前記一次壁下地中間材Ｋ’における切断縁又は切断予定線から任意の間隔を離すように調整して、この切断縁又は切断予定線に沿って当該切断縁又は切断予定線に平行な直線状の凹筋５１又は直線状の切り筋５２を当該凹筋５１又は切り筋５２の筋形成手段７０により形成することができる。
【００９６】
図２０は、かかる切断手段６０の典型例としての木工用の丸のこ盤６０’を示したものであって、丸のこ６１ａを該丸のこ軸６１ｂに設けられているプーリ６１ｃと、駆動手段６２におけるモータ６２ａの軸６２ｂに設けられているプーリ６２ｃとの間にベルト６３をかけ渡して当該モータ６２ａによって駆動するようにしてあり、当該丸のこ盤６０’のテーブル６４上を案内される前記一次壁下地中間材Ｋ’を適宜切断し得るようにしてあり、この切断手段６０を用いて当該一次壁下地中間材Ｋ’における各側縁の切断処理をなすようにしてある。
【００９７】
次いで、止め付け用基準線５０を構成する典型的な凹筋５１の形成について説明する。
かかる凹筋５１は、前記態様、即ち、前記一次壁下地中間材Ｋ’の切断処理工程において、当該一次壁下地中間材Ｋ’の移動又は該一次壁下地中間材Ｋ’の切断手段の移動によって、当該一次壁下地中間材Ｋ’にもたらされる手段で形成されておれば、いかなる手段によって形成されていてもよい。
また、この壁下地材Ｋに備えられる凹筋５１は前記の壁下地材Ｋの表側小幅板群３０Ｂの木質小幅板４０Ｂを構成する木質小幅板材２０Ｂに細長状あるいは線状の凹みとして形成されるものであれば、いかなる形状に形成されていてもよく、その凹みの形状はいかなる形状のものであってもよく、例えば、当該凹みが、四角形状断面や、Ｕ字状断面や、Ｖ字状断面などの各種の断面形状の凹筋５１などとして形成される。
【００９８】
図２０及び図２１は、かかる凹筋５１の典型的な一例である四角形状断面の凹筋５１ａを形成する筋形成手段７０としての回転円盤状筋付け具７１及び当該回転円盤状筋付け具７１を用いて凹筋５１ａを形成する状態を示している。
この回転円盤状筋付け具７１は、木工用の溝突きカッターに類似する構成としてあり、円盤体７１ａの外周縁端に刃幅の狭い刃７１ａ’を備えると共に軸７１ｂを備えた構成としてあって、例えば、前記丸のこ盤６０’や該丸のこ盤６０’を備えた装置などに設けてあり、この回転円盤状筋付け具７１の軸７１ｂに設けられているプーリ７１ｃと、駆動手段８０のモータ８０ａの軸８０ｂに設けられているプーリ８０ｃとにベルト８１をかけ渡して、当該回転円盤状筋付け具７１を前記モータ８０ａによって回転させるようにしてあり、前記テーブル６４に対して前記一次壁下地中間材Ｋ’を、該一次壁下地中間材Ｋ’における前記壁下地材Ｋの表側小幅板群３０Ｂの木質小幅板４０Ｂを構成する木質小幅板材、この図示例にあっては、壁下地材Ｋの表側小幅板群３０Ｂの木質小幅板４０Ｂを構成する第２の小幅板材群１０Ｂにおける木質小幅板材２０Ｂの表面部２３の側を当該回転円盤状筋付け具７１の側、この図示例にあっては、上方を向くように載せ、当該一次壁下地中間材Ｋ’を該テーブル６４上で移動させると共に、この第２の小幅板材群１０Ｂを構成する木質小幅板材２０Ｂにおける表面部２３に当該回転円盤状筋付け具７１の刃７１ａ’を切り込ませるようにして、当該木質小幅板材２０Ｂにおける表面部２３に，図３０に示されるような直線状の凹筋５１ａを形成する。
【００９９】
なお、かかる回転円盤状筋付け具７１による凹筋５１ａの形成において、当該回転円盤状筋付け具７１における軸７１ｂの軸線が前記丸のこ盤６０’における丸のこ６１ａの回転軸６１ｂの軸線に平行となるように設けると共に、当該回転円盤状筋付け具７１を該丸のこ６１ａよりも、前記一次壁下地中間材Ｋ’における内側に位置するように、当該丸のこ６１ａに対して所要間隔を離して設けることによって、当該一次壁下地中間材Ｋ’に対する切断に際して、この一次壁下地中間材Ｋ’における切断縁又は切断予定線に沿って、当該切断縁又は切断予定線から一定間隔内側に位置した凹筋５１ａを設けることができる。
【０１００】
図２２及び図２３は、かかる凹筋５１の他の典型的な一例としての、Ｖ字状断面の凹筋５１ｂの典型的な筋形成手段７０としての回転円盤状筋付け具７２及び当該回転円盤状筋付け具７２を用いて凹筋５１ｂを形成する状態を示したものであって、
この回転円盤状筋付け具７２は、軸７２ｂを有すると共に外周縁端に円周方向に連続する山状、谷状の刃７２ａ’を備えた円盤体７２ａを備えた構成としてあり、回転自在に備えられており、テーブル６５に対して前記一次壁下地中間材Ｋ’を、該一次壁下地中間材Ｋ’における前記壁下地材Ｋの表側小幅板群３０Ｂの木質小幅板４０Ｂを構成する木質小幅板材、この図示例にあっては、壁下地材Ｋの表側小幅板群３０Ｂの木質小幅板４０Ｂを構成する木質小幅板材を構成する第２の小幅板材群１０Ｂの木質小幅板材２０Ｂの側を当該回転円盤状筋付け具７２の側に向くように載せると共に、当該一次壁下地中間材Ｋ’を該テーブル６５上で移動させ、又は、当該回転円盤状筋付け具７２を当該一次壁下地中間材Ｋ’に対して移動させて、この第２の小幅板材群１０Ｂを構成する木質小幅板材２０Ｂにおける表面部２３に対して、当該回転円盤状筋付け具７２における刃７２ａを図２２に示すように押し入れ、又は差入れて、図３１に示されるような凹筋５１ｂを形成する。
【０１０１】
かかる凹筋５１ｂの形成において前記木質小幅板材２０Ｂにおける表面部２３に対して当該回転円盤状筋付け具７２の刃７２ａの山状に突き出す刃部分のみを用いて当該刃７２ａの差し込み又は押し込みに伴う凹筋５１ｂを形成してもよく、また、当該木質小幅板材２０Ｂにおける表面部２３に対して当該回転円盤状筋付け具７２の刃７２ａを、その谷状部分を越えて押し入れ又は差し入れるようにして凹筋５１ｂを形成するようにしてあってもよい。
【０１０２】
なお、ここで回転円盤状筋付け具７２によって形成される凹筋５１ｂは、当該回転円盤状筋付け具７２の刃７２ａの前記表面部２３に対する差し込みによって、前記表面部２３にＶ字状の切り込み溝状に形成されていても、また、当該刃７２ａの前記表面部２３に対する押し込みによって、前記表面部２３にＶ字状の押し筋状に形成されていてもよい。
【０１０３】
図２４及び図２５は、かかるＶ字状断面の凹筋５１ｂを形成する他の典型的な筋形成手段７０としての回転円盤状筋付け具７３及び当該回転円盤状筋付け具７３を用いて凹筋５１ｂを形成する状態を示したものであって、
この回転円盤状筋付け具７３は、軸７３ｂを有すると共に、外周縁部が、その全周に亙って外周縁端に向けて漸次薄く形成された刃７３ａ’とされている円盤体７３ａを備えた構成としてあり、回転自在に備えられており、テーブル６５に対して前記一次壁下地中間材Ｋ’を、該一次壁下地中間材Ｋ’における前記壁下地材Ｋの表側小幅板群３０Ｂの木質小幅板４０Ｂを構成する木質小幅板材、この図示例にあっては、壁下地材Ｋの表側小幅板群３０Ｂの木質小幅板４０Ｂを構成する第２の小幅板材群１０Ｂの木質小幅板材２０Ｂの側を当該回転円盤状筋付け具７３の側に向くように載せると共に、当該一次壁下地中間材Ｋ’を該テーブル６５上で移動させ、又は、当該回転円盤状筋付け具７３を当該一次壁下地中間材Ｋ’に対して移動させて、この第２の小幅板材群１０Ｂを構成する木質小幅板材２０Ｂにおける表面部２３に当該回転円盤状筋付け具７３における刃７３ａを図２４に示すように差入れ又は押し入れて、図３１に示されるような凹筋５１ｂを形成する。
【０１０４】
なお、ここで回転円盤状筋付け具７３によって形成される凹筋５１ｂは、当該回転円盤状筋付け具７３の刃７３ａの前記表面部２３に対する差し込みによって、前記表面部２３にＶ字状の切り込み溝状に形成されていても、また、当該刃７３ａの前記表面部２３に対する押し込みによって、前記表面部２３にＶ字状の押し筋状に形成されていてもよい。
【０１０５】
次いで、止め付け用基準線５０を構成する典型的な切り筋５２の形成について説明する。
かかる切り筋５２は、前記態様、即ち、前記一次壁下地中間材Ｋ’の切断処理工程において、当該一次壁下地中間材Ｋ’の移動又は該一次壁下地中間材Ｋ’の切断手段の移動によって、当該一次壁下地中間材Ｋ’にもたらされる手段で形成されておれば、いかなる手段によって形成されていてもよい。
かかる切り筋５２は、例えば、前記壁下地材Ｋの表側小幅板群３０Ｂの木質小幅板４０Ｂを構成する木質小幅板材に薄刃状の刃などの差し入れによって開口幅の狭い線状の切り込みとして、各種の手段によって形成される。
【０１０６】
図２６及び図２７は、かかる切り筋５２の典型的な筋形成手段７０としての回転円盤状筋付け具７４及び当該回転円盤状筋付け具７４を用いて切り筋５２を形成する状態を示したものであって、
この回転円盤状筋付け具７４は、軸７４ｂを有すると共に、外周縁端に円周方向に連続する山状及び谷状に連続するように備えられた特に薄刃状の刃７４ａ’を有する円盤体７４ａを備えた構成としてあり、回転自在に備えられており、テーブル６５に対して前記一次壁下地中間材Ｋ’を、該一次壁下地中間材Ｋ’における前記壁下地材Ｋの表側小幅板群３０Ｂの木質小幅板４０Ｂを構成する木質小幅板材、この図示例にあっては、壁下地材Ｋの表側小幅板群３０Ｂの木質小幅板４０Ｂを構成する第２の小幅板材群１０Ｂの木質小幅板材２０Ｂの側を当該回転円盤状筋付け具７４の側に向くように載せると共に、当該一次壁下地中間材Ｋ’を該テーブル６５上で移動させ、又は、当該回転円盤状筋付け具７４を当該一次壁下地中間材Ｋ’に対して移動させて、この第２の小幅板材群１０Ｂを構成する木質小幅板材２０Ｂにおける表面部２３に対して、当該回転円盤状筋付け具７４における刃７４ａを図２６に示すように差し入れるようにして、図３２に示されるような切り筋５２を形成する。
【０１０７】
かかる切り筋５２の形成において前記木質小幅板材２０Ｂにおける表面部２３に対して当該回転円盤状筋付け具７４の刃７４ａの山状に突き出す刃部分のみを用いて当該刃７４ａの差し込みに伴う切り筋５２を形成してもよく、また、当該木質小幅板材２０Ｂにおける表面部２３に対して当該回転円盤状筋付け具７４の刃７４ａを、その谷状部分を越えて差し入れるようにして切り筋５２を形成するようにしてあってもよい。
【０１０８】
図２８及び図２９は、かかる切り筋５２の他の典型的な筋形成手段７０としての回転円盤状筋付け具７５及び当該回転円盤状筋付け具７５を用いて切り筋５２を形成する状態を示したものであって、
この回転円盤状筋付け具７５は、軸７５ｂを有すると共に、その全周に亙って外周縁端に向けて漸次薄く形成された特に薄刃状の刃７５ａ’を有する円盤体７５ａを備えた構成としてあり、回転自在に備えられており、テーブル６５に対して前記一次壁下地中間材Ｋ’を、該一次壁下地中間材Ｋ’における前記壁下地材Ｋの表側小幅板群３０Ｂの木質小幅板４０Ｂを構成する木質小幅板材、この図示例にあっては、壁下地材Ｋの表側小幅板群３０Ｂの木質小幅板４０Ｂを構成する第２の小幅板材群１０Ｂの木質小幅板材２０Ｂの側を当該回転円盤状筋付け具７４の側に向くように載せると共に、当該一次壁下地中間材Ｋ’を該テーブル６５上で移動させ、又は、当該回転円盤状筋付け具７５を当該一次壁下地中間材Ｋ’に対して移動させて、この第２の小幅板材群１０Ｂを構成する木質小幅板材２０Ｂにおける表面部２３に対して、当該回転円盤状筋付け具７５における刃７５ａを図２８に示すように差し入れて、図３２に示されるような切り筋５２を形成する。
【０１０９】
かかる一次壁下地中間材Ｋ’における各切断縁に沿って備えられている各凹筋５１又は切り筋５２は、当該一次壁下地中間材Ｋ’によって構成される壁下地材Ｋにおける上側縁Ｋａ１に沿った上側縁部Ｋｂ１における当該壁下地材Ｋの躯体１００に対する取り付け位置に備えられている上側止め付け用基準線５０ａと、該壁下地材Ｋにおける下側縁Ｋａ２に沿った下側縁部Ｋｂ２における当該壁下地材Ｋの躯体１００に対する取り付け位置に備えられている下側止め付け用基準線５０ｂと、この上側止め付け用基準線５０ａ及び下側止め付け用基準線５０ｂ間を結ぶように該壁下地材Ｋにおける左側縁Ｋａ３及び右側縁Ｋａ３’に沿った左側縁部Ｋｂ３及び右側縁部Ｋｂ３’における当該壁下地材Ｋの躯体１００に対する取り付け位置に夫々備えられている左側止め付け用基準線５０ｃと右側止め付け用基準線５０ｃ’の構成手段とされ、
更に、前記一次壁下地中間材Ｋ’における幅側の中央を、その長さ方向にわたって備えられている前記凹筋５１又は切り筋５２が当該壁下地材Ｋにおける中央部止め付け用基準線５０ｄの構成手段とされる。
【０１１０】
なお、前記凹筋５１及び切り筋５２は、前記壁下地材Ｋの表側小幅板群３０Ｂの木質小幅板４０Ｂを構成する木質小幅板材、前記図示例にあっては、壁下地材Ｋの表側小幅板群３０Ｂの木質小幅板４０Ｂを構成する木質小幅板材２０Ｂの表面部２３に対して、一続きのものとして形成されていても、所定間隔を離して順次に連続するように形成されていてもよい。
【０１１１】
かかる一次壁下地中間材Ｋ’に対する前記切断処理による切断と、前記各種の筋形成手段７０による凹筋５１又は切り筋５２の形成とによって、凹筋５１又は切り筋５２を備えると共に壁下地材Ｋの外郭形状とされた二次壁下地中間材Ｋ”を構成する。
このようにして得られた二次壁下地中間材Ｋ”にあっては、凹筋５１又は切り筋５２の施された当該一次壁下地中間材Ｋ’における第１の小幅板材群１０Ａを構成する木質小幅板材２０Ａ及び第２の小幅板材群１０Ｂを構成する木質小幅板材２０Ｂの一方が前記壁下地材Ｋにおける表側小幅板群３０Ｂを構成する木質小幅板４０Ｂとされ、当該他方の小幅板材群を構成する木質小幅板材が前記壁下地材Ｋにおける裏側小幅板群３０Ａを構成する木質小幅板４０Ａとされており、前記図示例にあっては、凹筋５１又は切り筋５２の形成された第２の小幅板材群１０Ｂを構成する木質小幅板材２０Ｂが前記壁下地材Ｋにおける表側小幅板群３０Ｂを構成する木質小幅板４０Ｂとしてある。
【０１１２】
「着色及び薬剤の処理工程」
次いで、前記で得られた二次壁下地中間材Ｋ”に対する着色及び薬剤の処理工程について説明する。
【０１１３】
前記の切断処理と、凹筋５１又は切り筋５２の形成工程とを経て得られた二次壁下地中間材Ｋ”に対して、
該二次壁下地中間材Ｋ”を、防腐剤や防蟻剤などの木材保存処理薬剤と着色剤と希釈水とからなる浸漬液９５又は当該木材保存処理薬剤と着色剤とを主成分とし水を希釈液とした浸漬液９５に浸漬し、次いで、これを該浸漬液９５から取り出すと共に、これを乾燥し、
前記凹筋５１又は切り筋５２を前記着色剤によって目立たされた該壁下地材Ｋの止め付け用基準線５０とする着色及び薬剤処理を施す。
【０１１４】
かかる二次壁下地中間材Ｋ”の浸漬に用いられる典型的な浸漬液９５は、当該二次壁下地中間材Ｋ”に対して所期の防腐処理、防蟻処理などの木材保存処理薬剤による処理を施し、且つ、前記凹筋５１又は切り筋５２を着色剤によって目立たされた止め付け用基準線５０とし得る浸漬液９５であって、前記木材保存処理薬剤と着色剤と希釈水とからなり、例えば、当該木材保存処理薬剤に着色剤を加えた混合物を水で希釈して得られる浸漬液、木材保存処理薬剤を水で希釈した希釈液に着色剤を加えて得られる浸漬液、着色剤を混入した水で木材保存処理薬剤を希釈して得られる浸漬液など、各種の方法で得られる浸漬液９５を用いることができる。
【０１１５】
また、かかる二次壁下地中間材Ｋ”の浸漬に用いられる他の典型的な浸漬液９５は、当該二次壁下地中間材Ｋ”に対して所期の防腐処理、防蟻処理などの木材保存処理薬剤による処理を施し、更に他に必要とされる効果をもたらす薬剤処理を施し、且つ前記凹筋５１又は切り筋５２を着色剤によって目立たされた止め付け用基準線５０とし得る浸漬液９５であって、前記木材保存処理薬剤と着色剤とを主成分とし水を希釈液とした浸漬液としてあり、前記木材保存処理薬剤、着色剤及び希釈水に、他の薬剤、例えば、壁下地材Ｋに難燃効果や寸法安定効果が特に必要な場合などに、それぞれ、その効果を得ることができる薬剤を適宜加えた浸漬液としてある。
かかる浸漬液９５は、例えば、当該木材保存処理薬剤に着色剤を加えた混合物を水で希釈し且つ適宜の段階で前記難燃効果や寸法安定効果などを得るための薬剤を加えて得られる浸漬液、木材保存処理薬剤を水で希釈した希釈液に着色剤を加え且つ適宜の段階で前記難燃効果や寸法安定効果などを得るための薬剤を加えて得られる浸漬液、着色剤を混入した水で木材保存処理薬剤を希釈し且つ適宜の段階で前記難燃効果や寸法安定効果などを得るための薬剤を加えて得られる浸漬液など、各種の方法で得られる浸漬液９５を用いることができる。
【０１１６】
かかる二次壁下地中間材Ｋ”の浸漬に用いられる浸漬液９５は、防腐剤や防蟻剤などの木材保存処理薬剤と着色剤と希釈水とからなる浸漬液９５又は当該木材保存処理薬剤と着色剤とを主成分とし水を希釈液とした浸漬液９５であれば、いかなる浸漬液９５であってもよく、当該木材保存処理薬剤と着色剤と希釈水とからなる浸漬液９５に前記二次壁下地中間材Ｋ”を浸漬し且つ該浸漬液から取り出し乾燥することによって、当該浸漬液９５に含まれている前記木材保存処理薬剤が含浸され且つ前記凹筋５１又は切り筋５２が前記着色剤によって目立たされた止め付け用基準線５０とされた壁下地材Ｋを得ることができる。
また、当該木材保存処理薬剤と着色剤とを主成分とし水を希釈液とした浸漬液９５に前記壁下地中間材Ｋ”を浸漬し且つ該浸漬液から取り出し乾燥することによって、当該浸漬液９５に含まれている前記木材保存処理薬剤などの薬剤が含浸され且つ前記凹筋５１又は切り筋５２が前記着色剤によって目立たされた止め付け用基準線５０とされた壁下地材Ｋを得ることができる。
【０１１７】
かかる浸漬液９５による浸漬処理は、例えば、ピレスロイド様防蟻剤（エトフェンプロックス）、トリアゾール系防腐剤（テプコナゾール）及び有機ヨウ素系防腐・防カビ剤（ＩＰＢＣ）からなる群から選ばれる一種以上の薬剤に、界面活性剤、高沸点溶剤及び／又は安定剤などを加えた木材保存処理薬剤１８リットルを水で２５倍に希釈して得られた４５０リットルの木材保存処理薬剤の希釈液に、
各種の顔料、典型的には有機顔料、例えば、Ｃ．Ｉ．Ｐｉｇｍｅｎｔ  Ｙｅｌｌｏｗ１２を１０８．６ｇと、Ｃ．Ｉ．Ｐｉｇｍｅｎｔ  Ｒｅｄ２２を９３．１ｇと、Ｃ．Ｉ．Ｐｉｇｍｅｎｔ  Ｂｌａｃｋ７を１５．５ｇと、Ｃ．Ｉ．Ｐｉｇｍｅｎｔ  Ｒｅｄ８を５８．２ｇとの混合物を水で薄めて得られた９７０ｇの着色剤を混合して得られた浸漬液９５を処理槽９４に用意すると共に、
この処理槽９４に用意された浸漬液９５に対して、前記二次壁下地中間材Ｋ”を、この二次壁下地中間材Ｋ”を構成する各木質小幅板の表面積に対して、当該浸漬液がほぼ１１０ｇ／ｍ2 の含浸量となるように浸漬した後、この浸漬処理の施された二次壁下地中間材Ｋ”を当該浸漬液から取り出して乾燥させることによって、前記凹筋５１又は切り筋５２を、当該浸漬液９５に含まれている着色剤で他の部分よりも濃く着色されて他の部分と容易に識別し得るように目立たされた止め付け用基準線５０とする。
なお、前記浸漬液中の顔料の固形分比率は０．０１重量％〜０．０６重量％が望ましい。
【０１１８】
なお、前記の二次壁下地中間材Ｋ”に対する乾燥処理は、典型的には、前記浸漬液９５から取り出した二次壁下地中間材Ｋ”を大気中に放置して自然乾燥によって乾燥する。
【０１１９】
上記の一連の工程によって当該壁下地材Ｋを構成することによって、前記特長を備えた壁下地材Ｋ、典型的には、前記図１〜図１１に示されるような壁下地材Ｋを容易且つ確実に製造でき、特に、前記止め付け用基準線５０を当該壁下地材Ｋに対して容易且つ確実に低コストで施すことができる。
【０１２０】
【発明の効果】
この発明にかかる壁下地材は、少なくとも上側縁部、下側縁部、左側縁部及び右側縁部を躯体に止め付けて用いられる四角形状で格子状をなす壁下地材であって、
この壁下地材が、板面相互をほぼ同面状にして傾斜状に並設されている複数の木質小幅板からなる裏側小幅板群と、
この裏側小幅板群を構成する前記木質小幅板と交差する向きに傾斜し、且つ、板面相互をほぼ同面状にして並設されている複数の木質小幅板からなる表側小幅板群とを備えており、
しかも、前記裏側小幅板群を構成する前記木質小幅板が夫々所定の間隔を離して平行に備えられており、且つ、前記表側小幅板群を構成する前記木質小幅板が夫々所定の間隔を離して平行に備えられていると共に、
前記裏側小幅板群を構成する前記夫々の木質小幅板と、該木質小幅板の板面に板面を向き合わせて重ね合わせの状態に備えられている前記表側小幅板群を構成する前記夫々の木質小幅板とが互いの交差部で接合一体とされており、
且つ、前記表側小幅板群を構成する前記木質小幅板の表面部に、直線状の凹筋又は直線状の切り筋が前記壁下地材の少なくとも各側縁に沿って設けてあり、
しかも、この壁下地材が、防腐剤や防蟻剤などの木材保存処理薬剤と着色剤と希釈水とからなる浸漬液又は当該木材保存処理薬剤と着色剤とを主成分とし水を希釈液とした浸漬液に浸漬され、且つ該浸漬液から取り出し乾燥され、前記凹筋又は前記切り筋を前記着色剤によって目立たされた該壁下地材の止め付け用基準線とするようにしてあることから、
当該壁下地材における少なくとも上側縁部、下側縁部、左側縁部及び右側縁部を、前記躯体に対して、前記止め付け用基準線上で打ち込まれる釘やねじ入れられるビスなどで容易且つ正確に止め付けられ、相当の壁体力を有する壁を構成する壁下地を構成できる利点を有している。
【０１２１】
また、このように構成される壁下地材にあっては、これを用いて壁下地を構成した場合、前記表側小幅板群を構成する各木質小幅板間及び裏側小幅板群を構成する各木質小幅板間に傾斜した隙間が構成され、また、この壁下地の厚さ方向に、該壁下地材の表側小幅板群と裏側小幅板群とが構成する格子目状の孔が貫通状態に構成され、構成される壁下地に良好な通気性がもたらされる利点を有している。
【０１２２】
また、このように構成される壁下地材にあっては、この壁下地材の取扱において、これに備えられている止め付け用基準線が壁下地材の濡れ出しや他の部材との接触などによって損なわれることがなく、また、当該壁下地材を躯体に止め付け用いる際に該止め付け用基準線を容易且つ確実に目視できる利点を有している。
【０１２３】
また、このように構成される壁下地材にあっては、この壁下地材の取扱において、当該壁下地材が防腐剤や防蟻剤などの木材保存処理薬剤で処理済であることを容易且つ確実に認識できる利点を有している。
【０１２４】
また、この発明にかかる壁下地材の製造方法は、前記壁下地材の製造方法であって、
複数の木質小幅板材を、傾斜状に、しかも、所定の間隔を離して平行に、且つ板面相互をほぼ同面状に並設して第１の小幅板材群を構成すると共に、
この第１の小幅板材群を構成する前記木質小幅板材の板面に板面を向き合わせて該第１の小幅板材群を構成する前記木質小幅板材に重ね合わせの状態に備えられる第２の小幅板材群を構成する複数の木質小幅板材を、該第１の小幅板材群を構成する前記木質小幅板材と交差する向きに傾斜するように所定の間隔を離して平行に、且つ、板面相互をほぼ同面状にして並設し、且つ、前記第１の小幅板材群を構成する前記木質小幅板材に夫々の交差部で接合一体として一次壁下地中間材を構成する工程と、
この一次壁下地中間材を切断して該一次壁下地中間材を所定の大きさとする切断処理工程と、
この一次壁下地中間材の切断処理工程において、この一次壁下地中間材の移動又は該一次壁下地中間材の切断手段の移動に伴って、当該一次壁下地中間材における前記第１の小幅板材群の木質小幅板材及び第２の小幅板材群の木質小幅板材の一方の前記壁下地材の表側を構成する木質小幅板材の表面部に、少なくとも前記切断手段による切断縁に沿って又は少なくとも前記切断手段による切断予定線に沿って直線状の凹筋又は直線状の切り筋を形成する工程と、
この切断処理工程と前記凹筋又は切り筋の形成工程とを経て得られた二次壁下地中間材を、防腐剤や防蟻剤などの木材保存処理薬剤と着色剤と希釈水とからなる浸漬液又は当該木材保存処理薬剤と着色剤とを主成分とし水を希釈液とした浸漬液に浸漬すると共に該浸漬液から取り出し乾燥して、前記凹筋又は前記切り筋を前記着色剤によって目立たされた該壁下地材の止め付け用基準線とする着色及び薬剤の処理工程とを有する構成としてあり、
前記壁下地材における特長を備えた壁下地材を容易且つ確実に提供でき、特に、前記止め付け用基準線を当該壁下地材に対して容易且つ確実に低コストで施すことができる利点を有している。
【図面の簡単な説明】
【図１】典型的な一実施の形態に係る壁下地材を躯体に取り付けた状態の要部正面図
【図２】同壁下地材の斜視図
【図３】図正面図
【図４】同要部拡大正面図
【図５】同壁下地材を構成している木質小幅板４０Ａ及び木質小幅板４０Ｂの要部正面図
【図６】壁下地材の要部拡大断面図
【図７】他の壁下地材の要部拡大断面図
【図８】更に他の壁下地材の要部拡大断面図
【図９】壁下地材を備えた建物の要部の縦断面図
【図１０】壁下地材を備えた建物の要部の平断面図
【図１１】壁下地材の躯体に対する取り付け部の要部断面図
【図１２】壁下地材の製造に用いられる木質小幅板材２０Ａ及び木質小幅板材２０Ｂの要部の平面図
【図１３】第１の小幅板材群の平面図
【図１４】第１の小幅板材群の並設状態を組み付け用台と共に示す要部平面図
【図１５】一次壁下地中間材の平面図
【図１６】第１の小幅板材群に第２の小幅板材群を重ね合わせ状態に並設する状態を組み付け用台と共に示す要部平面図
【図１７】一次壁下地中間材をプレス装置で押圧している状態の要部の側面図
【図１８】一次壁下地中間材の長手縁に対する切断処理と凹筋又は切り筋の形成状態を示す要部の平面図
【図１９】一次壁下地中間材の短手縁に対する切断処理と凹筋又は切り筋の形成状態を示す要部の平面図
【図２０】一次壁下地中間材に対する切断処理と凹筋の形成状態を示す要部の側面図
【図２１】典型的な凹筋の形成手段の一部破断の正面図
【図２２】他の典型的な凹筋の形成手段による凹筋の形成状態を、該凹筋の形成位置で木質小幅板材を破断し且つ該形成手段における軸部分で断面して示した要部側面図
【図２３】同凹筋の形成手段の一部破断の正面図
【図２４】更に他の典型的な凹筋の形成手段による凹筋の形成状態を、該凹筋の形成位置で木質小幅板材を破断し且つ該形成手段における軸部分で断面して示した要部側面図
【図２５】同凹筋の形成手段の一部破断の正面図
【図２６】典型的な切り筋の形成手段による切り筋の形成状態を、該切り筋の形成位置で木質小幅板材を破断し且つ該形成手段における軸部分で断面して示した要部側面図
【図２７】同切り筋の形成手段の一部破断の正面図
【図２８】他の典型的な切り筋の形成手段による切り筋の形成状態を、該切り筋の形成位置で木質小幅板材を破断し且つ該形成手段における軸部分で断面して示した要部側面図
【図２９】同切り筋の形成手段の一部破断の正面図
【図３０】典型的な凹筋の形成されている二次壁下地中間材の要部の断面図
【図３１】他の典型的な凹筋の形成されている二次壁下地中間材の要部の断面図
【図３２】典型的な切り筋の形成されている二次壁下地中間材の要部の断面図
【図３３】二次壁下地中間材を浸漬液に浸漬している状態を示す要部の断面図
【図３４】浸漬液から取り出されて乾燥処理された壁下地材の正面図
【図３５】従来の壁仕上げ用下地パネルの正面図
【符号の説明】
Ｋ  壁下地材
Ｋａ  側縁
Ｋｂ  側縁部
１０Ａ  第１の小幅板材群
１０Ｂ  第２の小幅板材群
２０Ａ  木質小幅板材
２０Ｂ  木質小幅板材
２１  交差部
２３  表面部
３０Ａ  裏側小幅板群
３０Ｂ  表側小幅板群
４０Ａ  木質小幅板
４０Ｂ  木質小幅板
４１  交差部
４３  表面部
５０  止め付け用基準線
５１  凹筋
５２  切り筋
９５  浸漬液
１００  躯体
【図１】
0004512965.tif 000002
【図２】
0004512965.tif 000003
【図３】
0004512965.tif 000004
【図４】
0004512965.tif 000005
【図５】
0004512965.tif 000006
【図６】
0004512965.tif 000007
【図７】
0004512965.tif 000008
【図８】
0004512965.tif 000009
【図９】
0004512965.tif 000010
【図１０】
0004512965.tif 000011
【図１１】
0004512965.tif 000012
【図１２】
0004512965.tif 000013
【図１３】
0004512965.tif 000014
【図１４】
0004512965.tif 000015
【図１５】
0004512965.tif 000016
【図１６】
0004512965.tif 000017
【図１７】
0004512965.tif 000018
【図１８】
0004512965.tif 000019
【図１９】
0004512965.tif 000020
【図２０】
0004512965.tif 000021
【図２１】
0004512965.tif 000022
【図２２】
0004512965.tif 000023
【図２３】
0004512965.tif 000024
【図２４】
0004512965.tif 000025
【図２５】
0004512965.tif 000026
【図２６】
0004512965.tif 000027
【図２７】
0004512965.tif 000028
【図２８】
0004512965.tif 000029
【図２９】
0004512965.tif 000030
【図３０】
0004512965.tif 000031
【図３１】
0004512965.tif 000032
【図３２】
0004512965.tif 000033
【図３３】
0004512965.tif 000034
【図３４】
0004512965.tif 000035
【図３５】
0004512965.tif 000036